(57)【要約】  汚れた（染みの付いた）部分を有する布地の前処理及び洗濯用製品。注ぎ可能な水性洗剤組成物と、分与用キャップとを備えてなる製品。キャップは、洗剤組成物の単位容量を提供するような大きさかつ寸法にされた注ぎ容積を有することができる。キャップの一部分は、汚れをこすり洗いするための表面凹凸部が備わっていてもよい。
2013536128.tif 000002
【特許請求の範囲】
【請求項１】
汚れた部分を有する布地の前処理及び洗濯用製品であって、
前記製品が、注ぎ可能な水性洗剤組成物と、前記注ぎ可能な水性洗剤組成物の分与用キャップとを備えてなり、
Ａ．前記注ぎ可能な水性洗剤組成物が、
ａ）約６〜約９の疎水性指数を有する疎水性界面活性剤系を含んでなり、
Ｂ．前記キャップが、
ａ）基部の内部、及び前記基部の内部と反対側の基部の外部を有し、前記基部の内部が周辺部を有する基部と、
ｂ）内面、及び前記内面と反対側の外面を有する容器壁部であって、前記容器壁部が周辺部から縁まで延び、前記内面及び前記基部の内部が注ぎ容積を画定し、前記基部の内部が前記注ぎ容積の閉鎖端部を形成する、容器壁部とを備えてなり、
ｉ．前記キャップが、前記該キャップ上に配置されたコネクタ、及び前記容器の開口部上に配置された対応する受容部によって、前記洗剤組成物を含む容器と密閉係合され、
ｉｉ．該注ぎ容積が、該洗剤組成物の単位容量を提供するような大きさかつ寸法であり、
ｉｉｉ．該キャップが、縁上、該キャップ上に配置された該コネクタと該縁との間の該基部の外部上、及びこれらの組み合わせからなる群から選択される位置に複数の第１表面凹凸部を更に備えてなる、製品。
【請求項２】
前記組成物が、少なくとも２つのキレート剤を含むキレート剤系を更に含んでなる、請求項１に記載の製品。
【請求項３】
前記組成物が、重量パーセントで約４．５％未満のクエン酸、好ましくは約３％未満のクエン酸を更に含んでなる、請求項１に記載の製品。
【請求項４】
前記組成物が、色相染料、真珠光沢剤、構造剤、又はこれらの組み合わせを更に含んでなる、請求項２に記載の製品。
【請求項５】
前記構造剤が、硬化ヒマシ油、硬化ヒマシ油誘導体、微小繊維性セルロース、ヒドロキシ官能結晶性物質、長鎖脂肪アルコール、１２−ヒドロキシステアリン酸、粘土、及びこれらの混合物からなる群から選択される、請求項４に記載の製品。
【請求項６】
前記縁の一部が注ぎ口の形状を有する、請求項１に記載の製品。
【請求項７】
前記キレート剤系が、カテコール系キレート剤と、ＤＴＰＡＤＴＰＡ、ＤＴＰＭＰ、及びＨＥＤＰから選択されるキレート剤とを含んでなる、請求項２に記載の製品。
【請求項８】
前記組成物が、プロテアーゼ、アミラーゼ、リパーゼ、セルラーゼ、及びこれらの混合物からなる群から選択される酵素を更に含んでなる、請求項１に記載の製品。
【請求項９】
前記疎水性界面活性剤系が、ＡＥＳ、ＬＡＳ、非イオン性、アミンオキシド、及びこれらの混合物からなる群から選択される界面活性剤を含んでなる、請求項１に記載の製品。
【請求項１０】
少なくとも１つの汚れた部分を有する布地の前処理及び洗濯方法であって、
該方法が、キャップ及び請求項１に記載の注ぎ可能な水性洗剤組成物を使用し、
ａ．該洗剤組成物を含む容器から該キャップを外す工程と、
ｂ．該容器からキャップ内へ未希釈状態の洗剤組成物の所定の容量を注ぐ工程と、
ｃ．該容量の少なくとも一部を該染みの付いた部分に塗布する工程と、
ｄ．該染みの付いた部分を該キャップの一部分でこすり洗いする工程と、
ｅ．該洗剤の少なくとも一部を未希釈状態で水槽に加え、洗剤が希釈された形態である洗浄液を形成する工程と、
ｆ．該キャップの一部分で染みの付いた部分をこすり洗いした後に、該洗浄液中で該布地を洗濯する工程とを含んでなる、方法。
【発明の詳細な説明】
【技術分野】
【０００１】
汚れた布地の前処理及び洗濯用製品。
【背景技術】
【０００２】
汚れた衣類は、改善され得る洗濯の一態様である。汚れ（染み）を処理するための様々な市販のアプローチが存在する。１つのアプローチでは、消費者は、汚れを処理する能力を有するとして謳われている洗剤を用いて洗浄するに過ぎない。かかるアプローチは、汚れが軽く、かつ油脂性でない場合は良好に機能する傾向にある。汚れがしつこい、特にしつこい油脂性汚れの場合には、洗剤の化学成分が洗浄中に薄まり、汚れにおいて濃くないため、汚れが取り除かれない場合がある。これは洗浄サイクルの完了時に、汚れが依然として見えている場合に、消費者に満足感を残し得ない。洗浄後に汚れ処理が成功する可能性は限定されており、汚れた衣類が乾燥するまで（汚れ除去の）失敗が検出されない場合は、特に、限定されている。
【０００３】
汚れ処理の別のアプローチでは、例えば、汚れ処理助剤を汚れに直接噴霧若しくは吹きかけることにより、又は汚れ処理助剤を染み込ませたワイプを用いて汚れをこすることにより、別の汚れ処理助剤を汚れに塗布する場合がある。一部の汚れ処理助剤は、布地における汚れの処理を支援するための電動式ブラシ又はこすり洗い器具を含む。しかしこの方法では、洗剤、汚れ処理助剤、及び任意の付属デバイスといった複数の製品を消費者が購入し、使用する必要がある。消費者は、洗濯用製品がごちゃごちゃと集まっていることが多い洗濯機の近辺に、これら全ての製品を保管しなくてはならない。消費者は、汚れた衣類を洗濯機に投入する前に、忘れずに汚れを処理しなくてはならない。消費者は、汚れ処理助剤を配置し、汚れ処理助剤を汚れに塗布するためのパッケージ又はデバイスを操作しなければならない。汚れ処理助剤の塗布後、消費者は、洗濯洗剤を開けて適当量を計量し、計量した洗剤を洗濯機に投入しなければならない。最後に、消費者は洗濯洗剤を保管しなくてはならない。特に消費者の時間に対する他のあらゆる要求を考えると、この複数のプロセスは決して望ましい消費者経験ではない。
【０００４】
更に別のアプローチでは、一部の液体洗剤を用いて、少量の洗剤を衣類の汚れた部分に局部的に塗布することにより汚れを前処理する場合がある。しかし、洗剤のパッケージがそのような前処理投与に合わせて設計されていないと、少量の洗剤を注ぎ、それを汚れに塗布することが困難な場合がある。また、洗剤に関連する前処理を思い出させる警告や合図がないと消費者は汚れの前処理を忘れる場合がある。最後に、液体洗剤の未希釈溶液を用いても、消費者が望む様々な汚れの除去を提供できない場合がある。例えば、一部の液体洗剤に含まれる高濃度の疎水性界面活性剤に汚れた布地を曝すと、油脂性汚れについて良好に除去することができるが、漂白可能な汚れ（例えば飲料の汚れ）は良好に除去できない。
【発明の概要】
【発明が解決しようとする課題】
【０００５】
これらの制限を考慮すると、汚れの適切な処理法を消費者に直感的に示す、直感的に消費者が塗布を忘れないようにする、塗布が容易である、及び単一の製品で様々な汚れの除去に有効であるような汚れの処理用製品及びアプローチに対して、未着手のニーズが引き続き存在する。本発明は、布地の前処理及び洗濯用「オールインワン」製品を提供することにより、上記ニーズに取り組む。このオールインワン製品は、以下に詳細に記載するように、多種多様な汚れを除去可能なキャップ及び洗剤組成物の新規組み合わせを備えてなる。
【課題を解決するための手段】
【０００６】
本発明は、本発明の一態様では、汚れた（染みの付いた部分）を有する布地の前処理及び洗濯用の製品であって、以下の注ぎ可能な水性洗剤組成物と、前記注ぎ可能な水性洗剤組成物の分与用キャップと、を備えてなる製品を提供することにより、１つ以上の上記ニーズの解決を試みる。
【０００７】
Ａ．該注ぎ可能な水性洗剤組成物が、
ａ）約６〜約９の疎水性指数を有する疎水性界面活性剤系を含んでなり、
Ｂ．前記キャップが、
ａ）基部の内部、及び前記基部の内部と反対側の基部の外部を有し、前記基部の内部が周辺部を有する基部と、
ｂ）内面、及び前記内面と反対側の外面を有する容器壁部であって、前記容器壁部が周辺部から縁まで延び、前記内面及び前記基部の内部が注ぎ容積を画定し、前記基部の内部が前記注ぎ容積の閉鎖端部を形成する、容器壁部とを備えてなり、
ｉ．キャップが、前記キャップ上に配置されたコネクタ、及び前記容器の開口部上に配置された対応する受容部によって、前記洗剤組成物を含む容器と密閉係合され、
ｉｉ．注ぎ容積が、洗剤組成物の単位容量を提供するような大きさかつ寸法であり、
ｉｉｉ．キャップが、縁上、キャップ上に配置されたコネクタと縁との間の基部の外部上、及びこれらの組み合わせからなる群から選択される位置に複数の第１表面凹凸部を更に備えてなる。
【図面の簡単な説明】
【０００８】
【図１】第１表面凹凸部を有するキャップの概略図。
【図２】リブを例示する概略図。
【図３】突起部を図示する概略図。
【図４】毛を図示する概略図。
【図５】リングを図示する概略図。
【図６】注ぎ棚部、開口部、及び第１表面凹凸部を有するキャップの概略図。
【図７】注ぎ棚部、開口部、及び第１表面凹凸部を有するキャップの概略図。
【図８】第２表面凹凸部を有するキャップの概略図。
【図９】第２表面凹凸部を有するキャップの概略図。
【図１０】注ぎ口を有するキャップの概略図。
【図１１】注ぎ口を有するキャップの概略図。
【図１２】第２表面凹凸部及び注ぎ口を有するキャップの概略図。
【図１３】第１表面凹凸部、注ぎ棚部、開口部、及び先端部を有するキャップの概略図。
【図１４】基部の外部上に第１領域及び第２領域を有するキャップの概略図。
【図１５】図１４に示されるキャップのプロファイル図。
【発明を実施するための形態】
【０００９】
本明細書で使用するとき、「ａ」及び「ａｎ」のような冠詞は、特許請求の範囲で使用されるときには、１つ以上の請求又は記載されるものを意味するものと理解される。
【００１０】
本明細書で使用するとき、「初期安定化剤」は、柔軟仕上げ剤の有効成分が水和される前、かつ柔軟仕上げ剤組成物の残りの構成成分（例えば香料、シリコーン、ポリマー）と混合される前に、柔軟仕上げ剤の有効成分に直接添加される剤を意味する。
【００１１】
本明細書で使用するとき、用語「包含する（include）」、「包含する（includes）」及び「包含している（including）」は、限定することを意図しない。
【００１２】
本明細書で使用するとき、「注ぎ可能」は、約７０００ｃＰｓ未満、典型的には約５０００ｃＰＳ未満、より典型的には約２０００ｃＰｓ未満、更により典型的には約１０００ｃＰｓ未満、更により典型的には約７５０ｃＰＳ未満、最も典型的には約６００ｃＰｓ未満の粘度であり、かつ約５０ｃＰｓ超、典型的には約１００ｃＰｓ超、より典型的には約１５０ｃＰｓ超、更により典型的には約３００ｃＰｓ超、最も典型的には約３５０ｃＰｓ超の粘度を有する液体を指す。粘度は、２０／ｓのせん断速度で、２１℃において測定される。
【００１３】
特記しない限り、成分又は組成物の濃度は全て、当該成分又は組成物の活性部分に関するものであり、このような成分又は組成物の市販の供給源に存在し得る不純物、例えば残留溶媒又は副生成物は除外される。
【００１４】
本明細書全体にわたって記載されるあらゆる最大数値限定は、それより小さいあらゆる数値限定を、そのような小さい数値限定が本明細書に明示的に記載されたものとして包含すると理解されるべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【００１５】
汚れた布地の前処理及び洗濯用製品
本発明は、布地の前処理及び洗濯用「オールインワン」製品を提供することにより、汚れの適切な処理法を消費者に直感的に示す、直感的に消費者が塗布を忘れないようにする、塗布が容易である、及び単一の製品で様々な汚れの除去に有効であるような汚れの処理用製品及びアプローチに対するニーズに対応する。このオールインワン製品は、キャップ及び洗剤組成物の新規組み合わせを備えてなる。キャップは、特に粒子状の汚れ、例えば粘土及び化粧品に対する、消費者に対する汚れ前処理の視覚的注意喚起と、組込み式汚れ処理アプリケータとの両方の役割がある。洗剤組成物は、特に油脂性の汚れを除去するように処方される。具体的には、洗剤組成物は、低疎水性指数を有する界面活性剤系を含めて油脂性の汚れ除去をもたらすことが可能である。したがって、本発明の洗剤組成物とキャップの組み合わせにより、油脂性の汚れから粒子状の汚れまで、様々な汚れの除去を可能にする。
【００１６】
注ぎ可能な水性洗剤組成物
本発明による組成物は、注ぎ口からの注入及び／又はスクイーズボトルからの送達が挙げられるがこれらに限定されない、任意の好適な方法で分与してよい。
【００１７】
本発明による製品の粘度及びレオロジーは、製品が、布地、キャップ、又は洗濯機の部品上に残留物を残すことなく洗浄液中に放出するのに十分に低い粘度で、かつあまり容易に流動して飛び散りや汚れの危険性を高めないように十分に高い粘度を有するよう、当業者により調節されるであろう。
【００１８】
本発明による注ぎ可能な水性洗剤組成物は、疎水性界面活性剤系を含んでよい。洗剤組成物は更に、キレート剤系、ビルダー、水、酵素、及びその他成分から選択される成分を含んでよい。
【００１９】
疎水性界面活性剤系
本明細書で使用するとき、「疎水性界面活性剤系」は、約６〜約９、約７〜約８．５、又は約７．５〜８．０の「疎水性指数」を有する。約６〜約９の「疎水性指数」を有する疎水性界面活性剤系をもたらす界面活性剤の任意の組み合わせが有用である。洗剤組成物は、重量パーセントで約５％〜約５０％、約１０％〜約４２％、又は約１５％〜約３１％の総界面活性剤を含んでよい。界面活性剤系は、アニオン性、非イオン性、カチオン性、双極イオン性、両性の界面活性剤、及びこれらの混合物の群から選択される界面活性剤を含んでなる。
【００２０】
アニオン性界面活性剤
好適なアニオン性界面活性剤は、液体洗剤製品で典型的に用いられる従来のアニオン性界面活性剤のいかなる種類のものであってもよい。このような界面活性剤としては、アルキルベンゼンスルホン酸類及びそれらの塩類、並びにアルコキシル化又は非アルコキシル化アルキル硫酸塩材料類が挙げられる。代表的なアニオン性界面活性剤は、Ｃ１０〜Ｃ１６のアルキルベンゼンスルホン酸、好ましくは、Ｃ１１〜Ｃ１４のアルキルベンゼンスルホン酸のアルカリ金属塩である。一態様では、アルキル基は直鎖である。このような直鎖アルキルベンゼンスルホネートは「ＬＡＳ」として公知である。そのような界面活性剤及びそれらの調製は、例えば、米国特許第２，２２０，０９９号及び同第２，４７７，３８３号に記載されている。特に好ましいものは、アルキル基の炭素原子の平均数が約１１〜１４の線状直鎖アルキルベンゼンスルホン酸ナトリウム及びカリウムである。ナトリウムＣ１１〜Ｃ１４  ＬＡＳ、例えば、Ｃ１２  ＬＡＳはそのような界面活性剤の具体的な例である。
【００２１】
他の代表的な種類のアニオン性界面活性剤はエトキシル化アルキル硫酸塩界面活性剤を含んでなる。アルキルエーテル硫酸塩又はアルキルポリエトキシレート硫酸塩には、既知のこうした材料は、式：Ｒ’−Ｏ−（Ｃ２Ｈ４Ｏ）ｎ−ＳＯ３Ｍ（式中、Ｒ’はＣ８〜Ｃ２０アルキル基であり、ｎは約１〜２０であり、Ｍは塩形成性カチオンである）に相当するものである。具体的な実施形態において、Ｒ’はＣ１０〜Ｃ１８アルキルであり、ｎは約１〜１５であり、Ｍはナトリウム、カリウム、アンモニウム、アルキルアンモニウム、又はアルカノールアンモニウムである。より具体的な実施形態において、Ｒ’はＣ１２〜Ｃ１６であり、ｎは約１〜６であり、及びＭはナトリウムである。
【００２２】
アルキルエーテルサルフェートは一般に、様々なＲ’鎖長及び様々なエトキシル化度を含んでなる混合物の形態で使用される。しばしばそのような混合物はまた、必然的にいくつかの非エトキシル化アルキルサルフェート物質、即ち、上記エトキシル化アルキルサルフェート式で、式中、ｎ＝０である界面活性剤も含有することになる。非エトキシル化アルキルサルフェートも本発明の組成物に別途加え、存在してもよいいずれかのアニオン性界面活性剤成分として又は成分中で使用されてもよい。非アルコキシル化、例えば、非エトキシ化、アルキルエーテルサルフェート界面活性剤の具体例は、高級Ｃ８〜Ｃ２０脂肪族アルコールの硫酸化により製造されるものである。従来の一級アルキルサルフェート界面活性剤は、一般式ＲＯＳＯ３−Ｍ＋（式中、Ｒは典型的に、直鎖又は分枝鎖であってもよいＣ８〜Ｃ２０アルキル基であり、Ｍは水溶性化カチオンである）を有する。具体的な実施形態において、ＲはＣ１０〜Ｃ１５アルキル基であり、Ｍはアルカリ金属であり、より具体的には、ＲはＣ１２〜Ｃ１４アルキルであり、Ｍはナトリウムである。
【００２３】
本明細書で有用な特定のアニオン性界面活性剤の非限定的な例としては、ａ）Ｃ１１〜Ｃ１８アルキルベンゼンスルホネート（ＬＡＳ）；ｂ）Ｃ１０〜Ｃ２０の一級分岐鎖及びランダムなアルキルサルフェート（ＡＳ）；ｃ）式（Ｉ）及び（ＩＩ）を有するＣ１０〜Ｃ１８二級（２，３）−アルキルサルフェート
【化１】
2013536128.tif 000003
（式中、式（Ｉ）及び（ＩＩ）のＭは、電荷の中性をもたらす水素又はカチオンであり、界面活性剤又は添加剤成分と会合又は非会合であっても全てのＭ単位は、当業者により単離された形態、又は化合物が使用される系の相対的ｐＨによって水素原子又はカチオンのいずれかであることができ、好ましいカチオンの非限定例として、ナトリウム、カリウム、アンモニウム、及びこれらの混合物が挙げられ、ｘは少なくとも約７、好ましくは少なくとも約９の整数であり、ｙは少なくとも８、好ましくは少なくとも約９の整数である）；ｄ）Ｃ１０〜Ｃ１８アルキルアルコキシサルフェート（ＡＥｚＳ）（好ましくはｚは１〜３０である）；ｅ）好ましくは１〜５個のエトキシ単位を含んでなるＣ１０〜Ｃ１８アルキルアルコキシカルボキシレート；ｆ）米国特許第６，０２０，３０３号、及び同第６，０６０，４４３号に述べられるような中鎖分岐アルキルサルフェート；ｇ）米国特許第６，００８，１８１号及び同第６，０２０，３０３号に述べられるような中鎖分岐アルキルアルコキシサルフェート；ｈ）国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号に述べられるよう変性アルキルベンゼンスルホネート（ＭＬＡＳ）；ｉ）メチルエステルスルホネート（ＭＥＳ）；及びｊ）α−オレフィンスルホネート（ＡＯＳ）が挙げられる。
【００２４】
本明細書で有用な好適な非イオン性界面活性剤には、液体洗剤製品で典型的に使用される従来の種類のいかなる非イオン性界面活性剤を含んでもよい。これらとしては、例えば、アルコキシル化脂肪族アルコール及びアミンオキシド界面活性剤が挙げられる。本明細書の液体洗剤製品における使用において好ましいものは、通常は液体である非イオン性界面活性剤である。本明細書での使用に適した非イオン性界面活性剤としてはアルコールアルコキシラート非イオン性界面活性剤が挙げられる。アルコールアルコキシレートは、一般式、Ｒ１（ＣｍＨ２ｍＯ）ｐＯＨに対応する物質であり、式中、Ｒ１はＣ８〜Ｃ１６アルキル基であり、ｍは２〜４であり、ｐは約２〜１２の範囲である。好ましくは、Ｒ１は、第１級又は第２級であってもよいアルキル基であり、約９〜約１５個の炭素原子、より好ましくは約１０〜約１４個の炭素原子を含有する。実施形態の１つでは、アルコキシル化脂肪族アルコールはまた、分子当り約２〜約１２のエチレンオキシド部分、より好ましくは分子当り約３〜約１０のエチレンオキシド部分を含有するエトキシ化物質であってもよい。
【００２５】
本明細書の液体洗剤組成物において有用なアルコキシル化脂肪族アルコール物質はしばしば、約３〜１７の範囲の親水親油バランス（ＨＬＢ）値を有する。より好ましくはこの物質のＨＬＢ値は、約６〜１５、最も好ましくは約８〜１５の範囲である。好適なアルコキシル化脂肪族アルコール非イオン性界面活性剤は、シェル・ケミカル社（Shell Chemical Company）により商標名ネオドール（NEODOL）（登録商標）で市販されている。
【００２６】
本明細書において有用な非イオン性界面活性剤の別の適当なタイプは、アミンオキシド界面活性剤を含んでなる。アミンオキシドは、しばしば当該技術分野では「半極性」非イオン性物質と呼ばれる物質である。アミンオキシドは、式：Ｒ２（ＥＯ）ｆ（ＰＯ）ｇ（ＢＯ）ｈＮ（Ｏ）（ＣＨ２Ｒ３）２．ｑＨ２Ｏである。この式中、Ｒ２は、飽和又は不飽和、直鎖又は分枝鎖であり得る比較的長鎖のアルキル部分であり、８〜２０、好ましくは１０〜１６個の炭素原子を含有でき、より好ましくはＣ１２〜Ｃ１６の第一級アルキルである。Ｒ３は短鎖部分で、好ましくは水素、メチル及び−ＣＨ２ＯＨから選択される。ｆ＋ｇ＋ｈが０と異なる場合、ＥＯはエチレンオキシ、ＰＯはプロピレンオキシ、及びＢＯはブチレンオキシである。代表的なアミンオキシド界面活性剤は、Ｃ１２〜Ｃ１４アルキルジメチルアミンオキシドにより示されてもよい。
【００２７】
非イオン性界面活性剤の非限定的な例としては、以下のものが挙げられる。ａ）Ｃ１２〜Ｃ１８アルキルエトキシレート、例えば、シェル社（Shell）製のネオドール（NEODOL）（登録商標）非イオン性界面活性剤、ｂ）Ｃ６〜Ｃ１２アルキルフェノールアルコキシレートであって、ここでアルコキシレート単位は、エチレンオキシ単位とプロピレンオキシ単位の混合物である、ｃ）エチレンオキシド／プロピレンオキシドブロックポリマーとの、Ｃ１２〜Ｃ１８アルコール及びＣ６〜Ｃ１２アルキルフェノールの縮合体、例えば、ＢＡＳＦ社（BASF）製のプルロニック（PLURONIC）（登録商標）、ｄ）米国特許第６，１５０，３２２号に述べられているようなＣ１４〜Ｃ２２中鎖分枝アルコール、（「ＢＡ」）、ｅ）米国特許第６，１５３，５７７号、同第６，０２０，３０３号、及び同第６，０９３，８５６号に述べられているようなＣ１４〜Ｃ２２中鎖分枝アルキルアルコキシレート、（「ＢＡＥｚ」）、ここで、ｚは、１〜３０である、ｆ）米国特許第４，５６５，６４７号に述べられているようなアルキル多糖類であって、特に、米国特許第４，４８３，７８０号及び同第４，４８３，７７９号に述べられているようなアルキルポリグリコシド、ｇ）米国特許第５，３３２，５２８号、国際公開第９２／０６１６２号、同第９３／１９１４６号、同第９３／１９０３８号、及び同第９４／０９０９９号に述べられているようなポリヒドロキシ脂肪酸アミド、及びｈ）米国特許第６，４８２，９９４号及び国際公開第０１／４２４０８号に述べられているような、エーテルで末端保護されたポリ（オキシアルキル化）アルコール界面活性剤。
【００２８】
カチオン性界面活性剤は、当該技術分野において既知であり、これらの非限定例としては四級アンモニウム界面活性剤が挙げられ、２６までの炭素原子を有することができる。追加の例にはａ）米国特許第６，１３６，７６９号での述べられているようなアルコキシレート第四級アンモニウム（「ＡＱＡ」）界面活性剤、ｂ）米国特許第６，００４，９２２号で述べられているようなジメチルヒドロキシエチル第四級アンモニウム、ｃ）国際公開第９８／３５００２号、同第９８／３５００３号、同第９８／３５００４号、同第９８／３５００５号及び同第９８／３５００６号で述べられているようなポリアミンカチオン性界面活性剤、ｄ）米国特許第４，２２８，０４２号、同第４，２３９，６６０号、同第４，２６０，５２９号及び同第６，０２２，８４４号で述べられているようなカチオン性エステル界面活性剤並びにｅ）米国特許第６，２２１，８２５号及び国際公開第００／４７７０８号で述べられているようなアミノ界面活性剤、例えばアミドプロピルジメチルアミン（「ＡＰＡ」）が挙げられる。
【００２９】
双性イオン性界面活性剤の非限定例には、二級及び三級アミンの誘導体、複素環式二級及び三級アミンの誘導体、又は四級アンモニウム、四級ホスホニウム若しくは三級スルホニウム化合物の誘導体が挙げられる。双極性界面活性剤の例である、アルキルジメチルベタイン及びココジメチルアミドプロピルベタイン、Ｃ８〜Ｃ１８（例えば、Ｃ１２〜Ｃ１８）アミンオキシド、並びに、例えば、アルキル基がＣ８〜Ｃ１８、及び特定の実施形態ではＣ１０〜Ｃ１４であることができるＮ−アルキル−Ｎ，Ｎ−ジメチルアミノ−１−プロパンスルホネートのようなスルホ及びヒドロキシベタインを包含するベタインについては、米国特許第３，９２９，６７８号の１９欄３８行〜２２欄４８行を参照のこと。
【００３０】
両性電解質性界面活性剤の非限定的な例には、二級若しくは三級アミンの脂肪族誘導体、又は脂肪族基が直鎖又は分岐鎖であることができる複素環式二級及び三級アミンの脂肪族誘導体が挙げられる。脂肪族置換基の１つは、少なくとも約８個の炭素原子、例えば約８〜約１８個の炭素原子を含有してもよく、少なくとも１つが、アニオン水溶性化基、例えば、カルボキシ基、スルホネート基、サルフェート基を含有する。両性界面活性剤の好適な例については、米国特許第３，９２９，６７８号、１９欄１８〜３５行を参照のこと。
【００３１】
界面活性剤系の非限定例としては、従来のＣ１１〜Ｃ１８アルキルベンゼンスルホネート（「ＬＡＳ」）及び一級分枝鎖及びランダムＣ１０〜Ｃ２０アルキルサルフェート（「ＡＳ」）、式ＣＨ３（ＣＨ２）ｘ（ＣＨＯＳＯ３−Ｍ＋）ＣＨ３及びＣＨ３（ＣＨ２）ｙ（ＣＨＯＳＯ３−Ｍ＋）ＣＨ２ＣＨ３（式中、ｘ及び（ｙ＋１）は少なくとも約７、他の実施形態では少なくとも約９の整数であり、及びＭは水溶性化カチオン、特にナトリウムである）のＣ１０〜Ｃ１８二級（２，３）アルキルサルフェート、特にオレイルサルフェートなどの不飽和サルフェート、Ｃ１０〜Ｃ１８アルキルアルコキシサルフェート（「ＡＥｚＳ」、特にＥＯ  １〜７エトキシサルフェート）、Ｃ１０〜Ｃ１８アルキルアルコキシカルボキシレート（特に、ＥＯ  １〜５エトキシカルボキシレート）、Ｃ１０〜Ｃ１８グリセロールエーテル、Ｃ１０〜Ｃ１８アルキルポリグリコシド及びそれらの対応する硫酸化ポリグリコシド、並びにＣ１２〜Ｃ１８  α−スルホン化脂肪酸エステルが挙げられる。所望される場合、従来の非イオン性及び両性界面活性剤、例えば、狭いピークを有するアルキルエトキシレートが挙げられるＣ１２〜Ｃ１８アルキルエトキシレート（「ＡＥ」）、及びＣ６〜Ｃ１２アルキルフェノールアルコキシラート（特にエトキシレート及び混合エトキシ／プロポキシレート）、Ｃ１２〜Ｃ１８ベタイン及びスルホベタイン（「スルタイン」）、Ｃ１０〜Ｃ１８アミンオキシド等もまた界面活性剤系に包含され得る。Ｃ１０〜Ｃ１８  Ｎ−アルキルポリヒドロキシ脂肪酸アミドもまた使用できる。国際公開第９２／０６１５４号を参照のこと。糖から誘導される他の界面活性剤としては、Ｃ１０〜Ｃ１８  Ｎ−（３−メトキシプロピル）グルカミドなどのＮ−アルコキシポリヒドロキシ脂肪酸アミドが挙げられる。低発泡性のためには、Ｎ−プロピル〜Ｎ−ヘキシルＣ１２〜Ｃ１８グルカミドを使用することができる。Ｃ１０〜Ｃ２０の従来型石鹸を使用してもよい。高い泡立ちが望まれる場合には、分枝鎖のＣ１０〜Ｃ１６石鹸を使用してもよい。アニオン性界面活性剤と非イオン性界面活性剤の混合物が特に有用である。他の従来の有用な界面活性剤は、標準的な教科書に列挙されている。
【００３２】
キレート剤系
本明細書に開示される注ぎ可能な水性組成物は、キレート剤系を含んでよい。いくつかの態様では、キレート剤系は少なくとも２つのキレート剤を含んでなる。キレート剤のうち少なくとも１つは遷移金属の強力な結合剤であり、飲料の汚れが挙げられるがこれに限定されない汚れを良好に除去する。キレート剤のうち少なくとも１つはカルシウムへの結合定数が低く、幅広い汚れ分類の汚れを除去するよう組成物に更に含まれる酵素の安定性を損なうことなく、飲料の汚れの除去を更に改善する。いくつかの実施形態では、キレート剤系は２つのキレート剤からなる二重キレート剤系である。本明細書で使用するとき、用語「二重キレート剤系」及び「キレート剤の組み合わせ」は、異なるコア分子構造を有する少なくとも２種類のキレート剤を意味し、同一のコア分子構造を有する２つのキレート剤を意味しないが、同一の基本コア構造の異なる会合対イオン又は異なるイオン化可能種であるものを含む。
【００３３】
キレート剤の組み合わせは、当業者により、カルシウムイオンの過剰な結合により酵素安定性に悪影響を与えずに、重金属（例えばＦｅ）封鎖をもたらすように選択されてよい。本発明で有用なキレート剤の非限定例は、米国特許第７４４５６４４号、同第７５８５３７６号、及び米国特許出願公開第２００９／０１７６６８４Ａ１号に含まれる。
【００３４】
有用なキレート剤には、ジエチレントリアミン五酢酸（ＤＴＰＡ）などの重金属キレート剤、及び／又はタイロンを含むがこれに限定されないカテコールが、挙げられる。二重キレート剤系が使用される実施形態では、キレート剤はＤＴＰＡ及びタイロンであってよい。
【００３５】
ＤＴＰＡは以下のコア分子構造を有する：
【化２】
2013536128.tif 000004
【００３６】
１，２−ジヒドロキシベンゼン（diydroxybenzene）−３，５−ジスルホン酸としても既知であるタイロンは、カテコール族の１つであり、以下に示されたコア分子構造を有する：
【化３】
2013536128.tif 000005
【００３７】
他のスルホン化カテコールが有用である。ジスルホン酸に加えて、用語「タイロン」はまた酸のモノ−、又はジスルホネートの塩、例えば二ナトリウムスルホン酸塩を含んでもよく、これは同一のコア分子構造をジスルホン酸と共有する。
【００３８】
本明細書に用いるのに好適な他のキレート剤は、アミノカルボキシレート、アミノホスホネート、多官能置換された芳香族のキレート剤、及びこれらの混合物からなる群から選択できる。特に有用なキレート剤には、ＨＥＤＰ（ヒドロキシエタンジメチレンホスホン酸）、ＭＧＤＡ（メチルグリシン二酢酸）、及びこれらの混合物が挙げられるが、これに限定されない。
【００３９】
理論によって束縛されることを意図しないが、これらの材料の利益は、一部において、溶解性キレートの形成によって洗浄溶液から重金属イオンを除去することができる例外的な能力によるものであり、他の利点には、無機フィルム又はスケール防止が挙げられる。本明細書で用いるのに好適な他のキレート剤は、市販されているＤＥＱＵＥＳＴシリーズ、並びにＭｏｎｓａｎｔｏ、ＤｕＰｏｎｔ、及びＮａｌｃｏ，Ｉｎｃ．からのキレート剤である。
【００４０】
キレート剤として有用なアミノホスホネートは、エチレンジアミンテトラアセテート、Ｎ−（ヒドロキシエチル）エチレンジアミントリアセテート、ニトリロトリアセテート、エチレンジアミンテトラプロピオネート、トリエチレンテトラアミンヘキサアセテート、ジエチレントリアミン−ペンタアセテート、及びエタノールジグリシン、アルカリ金属、アンモニウム、及びその置換アンモニウム塩、並びにこれらの混合物が挙げられるが、これに限定されない。
【００４１】
洗剤組成物内の総リンが少なくとも低濃度で許容される場合、アミノホスホネートも本発明の組成物におけるキレート剤として使用するのに好適であり、それにはエチレンジアミンテトラキス（メチレンホスホネート）が挙げられる。好ましくは、これらのアミノホスホネートは、約６個を超える炭素原子を有するアルキル又はアルケニル基を含有しない。
【００４２】
多官能置換された芳香族キレート剤も、本明細書の組成物中で有用である。米国特許第３，８１２，０４４号（Ｃｏｎｎｏｒら、１９７４年５月２１日発行）を参照のこと。好ましいこの種の酸型の化合物は、１，２−ジヒドロキシ−３，５−ジスルホベンゼンなどのジヒドロキシジスルホベンゼンである。
【００４３】
本明細書で用いる生分解性キレート剤は、エチレンジアミンジサクシネート（「ＥＤＤＳ」）、特に（限定されないが）米国特許第４，７０４，２３３号に記載される［Ｓ，Ｓ］異性体である。三ナトリウム塩が好ましいが、その他の形態、例えばマグネシウム塩も有用であり得る。
【００４４】
キレート剤系は、本明細書に開示される洗剤組成物の約．２重量％〜約．７重量％、約．３重量％〜約．６重量％で、本発明の注ぎ可能な水性組成物中に存在してよい。
【００４５】
ビルダー
本明細書の組成物はビルダーを含んでよい。有用なビルダーとして、本明細書の組成物を使用する洗濯中に遭遇するカルシウム、マグネシウム、又は他のイオン、水の硬度の影響を弱めるように作用する物質が挙げられるが、これらに限定されない。こうした物質の例には、クエン酸、コハク酸、マロン酸、カルボキシメチルコハク酸、カルボン酸、ポリカルボン酸、及びポリアセチルカルボン酸のアルカリ金属塩が挙げられる。具体的な例としては、オキシジコハク酸、メリト酸、ベンゼンポリカルボン酸、Ｃ１０〜Ｃ２２脂肪酸、及びクエン酸のナトリウム塩、カリウム塩、及びリチウム塩が挙げられる。その他の例は、ＭｏｎｓａｎｔｏによりＤｅｑｕｅｓｔの商標名で販売されてきたもの及びアルカンヒドロキシホスホネートのような、有機ホスホネートタイプの金属イオン封鎖剤である。クエン酸塩及びＣ１２〜Ｃ１８脂肪酸石鹸が極めて好ましい。
【００４６】
他の好適な有機ビルダーには、ビルダーの特性を有することが知られている、より高い分子量のポリマー及びコポリマーが挙げられる。例えば、こうした物質には、適切なポリアクリル酸、ポリマレイン酸、及びＢＡＳＦによってＳｏｋａｌａｎの商標名で販売されているもののようなポリアクリル酸／ポリマレイン酸コポリマー及びそれらの塩が挙げられる。
【００４７】
使用する場合、有機ビルダー物質は一般的に、組成物の０重量％〜約８重量％、約３重量％〜約７重量％、約２重量％〜６重量％を含んでなる。
【００４８】
好ましいビルダーは、クエン酸、脂肪酸、及びこれらの混合物からなる群から選択される。いくつかの実施形態では、クエン酸は利用される唯一のビルダーであり、約４．５重量％以下で組成物中に存在する。理論に束縛されるものではないが、クエン酸含有量が低いと、水の結合が少なくかつコストが低減することにより、コンパクト洗剤の処方の柔軟性がより増すと考えられる。いくつかの実施形態では、クエン酸は、４％未満、３％未満、２％未満、又は更に１％未満で組成物中に存在する。
【００４９】
水
本明細書で使用するとき「水」は、製品中の全ての水分を意味し、水として直接添加されてもよく、又は製品のその他構成成分と組み合わせて添加されてもよい。例えば、他の製品成分を含んでなる溶液のペースト内に水を添加することができる。
【００５０】
酵素
いくつかの実施形態では、注ぎ可能な水性洗剤組成物は酵素を含んでなる。いくつかの実施形態では、本発明の組成物は、洗剤組成物の約０．００００１重量％〜約５重量％、具体的には約０．００１重量％〜約２重量％、より具体的には約０．００００１重量％〜約１重量％、更により具体的には約０．００１重量％〜約０．２重量％、更に一層より具体的には約０．００５重量％〜約０．１重量％の酵素を含む。
【００５１】
本組成物が、プロテアーゼ、アミラーゼ、リパーゼ、及び／又はセルラーゼから選択される少なくとも３成分酵素系を含んでなることが好ましい場合がある。
【００５２】
リパーゼ。好適なリパーゼとしては、細菌由来又は真菌由来のものが挙げられる。化学修飾された変異体又は改質されたタンパク質変異体が含まれる。有用なリパーゼの非限定例として、例えば、欧州特許第２５８  ０６８号及び同第３０５  ２１６号に記載されているＨ．ラヌギノーサ（Ｔ．ラノギノサス）、又はＨ．イソレンス（国際公開第９６／１３５８０号参照）から得られるヒューミコラ（同義語は、サーモミセス）、例えばＰ．アルカリゲネス又はＰ．シュードアルカリゲネス（欧州特許第２１８  ２７２号参照）、Ｐ．セパシア（欧州特許３３１  ３７６号参照）、Ｐ．スタツェリ（英国特許第１，３７２，０３４号参照）、Ｐ．フルオレッセンス、シュードモナスｓｐ．菌株ＳＤ  ７０５（国際公開第９５／０６７２０号、及び同第９６／２７００２号参照）、Ｐ．ウィスコンシネシス（国際公開第９６／１２０１２号参照）から得られるシュードモナスリパーゼ、例えばＢ．サブティリス（Ｄａｒｔｏｉｓ  ｅｔ  ａｌ．（１９９３），Ｂｉｏｃｈｅｍｉｃａ  ｅｔ  Ｂｉｏｐｈｙｓｉｃａ  Ａｃｔａ，１１３１，２５３〜３６０参照）、Ｂ．ステアサーモフィラス（日本特許第６４／７４４９９２号参照）又はＢ．プミルス（国際公開第９１／１６４２２号参照）から得られるバチルスリパーゼ、などから得られるリパーゼが挙げられる。
【００５３】
リパーゼは、米国特許第６，９３９，７０２号、及び同第２００９／０２１７４６４号に説明されるものといった「第１サイクルのリパーゼ」であってもよい。一態様では、リパーゼは第１洗浄用リパーゼであり、好ましくはＴ２３１Ｒ及びＮ２３３Ｒ変異を含んでなる子嚢菌（Thermomyces lanuginosus）由来の野生型リパーゼの変異体である。野生型配列は、Ｓｗｉｓｓ−ｐｒｏｔの受け入れ番号Ｓｗｉｓｓ−Ｐｒｏｔ  Ｏ５９９５２の、（Ｔｈｅｒｍｏｍｙｃｅｓ  ｌａｎｕｇｉｎｏｓｕｓ（Ｈｕｍｉｃｏｌａ  ｌａｎｕｇｉｎｏｓａ）由来の）２６９個のアミノ酸（アミノ酸２３〜２９１）である。好ましいリパーゼは、Ｎｏｖｏｚｙｍｅｓ，Ｂａｇｓｖａｅｒｄ，Ｄｅｎｍａｒｋによって、Ｌｉｐｅｘ（登録商標）、Ｌｉｐｏｌｅｘ（登録商標）、及びＬｉｐｏｃｌｅａｎ（登録商標）の商品名で販売されるものが挙げられよう。
【００５４】
いくつかの実施形態では、組成物は、野生型アミノ酸と＞９０％の同一性を有し、Ｔ２３１及び／又はＮ２３３における置換、好ましくはＴ２３１Ｒ及び／又はＮ２３３Ｒを含んでなるサーモミセス・ラヌギノーサリパーゼの変異体（本明細書において「第１洗浄用リパーゼ」）を含んでなる。
【００５５】
プロテアーゼ。好適なプロテアーゼとして、サブチリシン（ＥＣ  ３．４．２１．６２参照）などの、中性又はアルカリ性の微生物セリンプロテアーゼなどの、メタロプロテアーゼ及び／又はセリンプロテアーゼが挙げられる。好適なプロテアーゼとしては、動物、植物、又は微生物起源のものが挙げられる。一態様では、そのような好適なプロテアーゼは、微生物起源のものとすることができる。好適なプロテアーゼとしては、前述の好適なプロテアーゼの化学修飾又は遺伝子組み換えの突然変異体が挙げられる。一態様では、好適なプロテアーゼは、アルカリ性微生物プロテアーゼ又は／及びトリプシン型プロテアーゼなどのセリンプロテアーゼであり得る。
【００５６】
好適な中性又はアルカリ性プロテアーゼの非限定例として、以下のものが挙げられる。
【００５７】
（ａ）サブチリシン（ＥＣ  ３．４．２１．６２）（Ｂａｃｉｌｌｕｓ  ｌｅｎｔｕｓ、Ｂ．ａｌｋａｌｏｐｈｉｌｕｓ、Ｂ．ｓｕｂｔｉｌｉｓ、Ｂ．ａｍｙｌｏｌｉｑｕｅｆａｃｉｅｎｓ、Ｂａｃｉｌｌｕｓ  ｐｕｍｉｌｕｓ及びＢａｃｉｌｌｕｓ  ｇｉｂｓｏｎｉｉなどのＢａｃｉｌｌｕｓから誘導されたものを含む）（米国特許第６，３１２，９３６号、同第５，６７９，６３０号、同第４，７６０，０２５号、同第７，２６２，０４２号及び国際公開特許第０９／０２１８６７号に記載）。
【００５８】
（ｂ）トリプシン（例えばブタ又はウシ由来）などのトリプシン型又はキモトリプシン型プロテアーゼ（ＰＣＴ国際公開特許ＷＯ  ８９／０６２７０号に記述されているフサリウムプロテアーゼ、及び同ＷＯ  ０５／０５２１６１号及び同ＷＯ  ０５／０５２１４６に記述されているＣｅｌｌｕｍｏｎａｓに由来するキモトリプシンプロテアーゼを含む）。
【００５９】
（ｃ）メタロプロテアーゼ（国際公開特許第０７／０４４９９３号に記述されているＢａｃｉｌｌｕｓ  ａｍｙｌｏｌｉｑｕｅｆａｃｉｅｎｓから誘導されたものを含む）。
【００６０】
好ましいプロテアーゼとしては、Ｂａｃｉｌｌｕｓ  ｇｉｂｓｏｎｉｉ又はＢａｃｉｌｌｕｓ  Ｌｅｎｔｕｓから誘導されるものが挙げられる。
【００６１】
好適な市販のプロテアーゼ酵素としては：Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以降ＢＬＡＰとして参照する）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（以上、全てＨｅｎｋｅｌ／Ｋｅｍｉｒａ）、並びに花王のＫＡＰ（変異Ａ２３０Ｖ＋Ｓ２５６Ｇ＋Ｓ２５９Ｎを有するＢａｃｉｌｌｕｓ  ａｌｋａｌｏｐｈｉｌｕｓのサブチリシン）が挙げられる。
【００６２】
いくつかの実施形態では、組成物は、ＢＬＡＰ、ＢＬＡＰ  Ｒ、ＢＬＡＰ  Ｘ、又はＢＬＡＰ  Ｆ４９から選択されるサブチリシンプロテアーゼを含んでなる。
【００６３】
セルラーゼ。好適なセルラーゼとしては、細菌由来又は真菌由来のセルラーゼが挙げられる。化学修飾された変異体又は改質されたタンパク質変異体が含まれる。好適なセルラーゼとしては、バチルス属（genera Bacillus）、シュードモナス（Pseudomonas）属、フミコラ（Humicola）属、フサリウム（Fusarium）属、チエラビア（Thielavia）属、アクレモニウム（Acremonium）属由来のセルラーゼが挙げられ、例えば、フミコラ・インソレンス（Humicola insolens）、ミセリオフトラ・テルモフィラ（Myceliophthora thermophila）から作製される真菌セルラーゼ、及び米国特許第４，４３５，３０７号、同第５，６４８，２６３号、同第５，６９１，１７８号、同第５，７７６，７５７号及び国際公開特許第８９／０９２５９号に開示されているフザリウム・オキスポラム（Fusarium oxysporum）が挙げられる。
【００６４】
一態様において、セルラーゼは、米国特許第７，１４１，４０３号のアミノ酸配列の配列番号２と少なくとも９０％、９４％、９７％、及び更には９９％の同一性を有する配列及びこれらの混合物を有する、例えば、バチルス属の一員に対して内因性の細菌性ポリペプチドなどの、エンド−β−１，４グルカナーゼ活性（Ｅ．Ｃ．３．２．１．４）を示す微生物由来のエンドグルカナーゼを含み得る。好適なエンドグルカナーゼは、Ｃｅｌｌｕｃｌｅａｎ（登録商標）（Ｎｏｖｏｚｙｍｅｓ  Ａ／Ｓ，Ｂａｇｓｖａｅｒｄ，Ｄｅｎｍａｒｋ）の商品名で販売されている。更に好適なエンドグルカナーゼは、米国特許第７，３６１，７３６号（Ｎｏｖｏｚｙｍｅｓ）に記載されるＸＹＧ１００６酵素の変異体である。好適なエンドグルカナーゼは、Ｗｈｉｔｅｚｙｍｅ（登録商標）（Ｎｏｖｏｚｙｍｅｓ  Ａ／Ｓ，Ｂａｇｓｖａｅｒｄ，Ｄｅｎｍａｒｋ）の商品名で販売されている。
【００６５】
いくつかの実施形態では、組成物は、１７ｋＤａ〜３０ｋＤａの分子量を有する、グリコシルヒドロラーゼのファミリー４５に属する洗浄セルラーゼ、例えば、Ｂｉｏｔｏｕｃｈ（登録商標）ＮＣＤ、ＤＣＣ、及びＤＣＬ（ＡＢ  Ｅｎｚｙｍｅｓ，Ｄａｒｍｓｔａｄｔ，Ｇｅｒｍａｎｙ）の商品名で販売されるエンドグルカナーゼを含んでなる。
【００６６】
アミラーゼ。好ましくは、本組成物は、バチルスｓｐ．に内因性のＡＡ５６０アルファアミラーゼと６０％超の同一性を有するアミラーゼを含んでなる。ＤＳＭ  １２６４９は、好ましくは、バチルスｓｐ．に内因性のＡＡ５６０アルファアミラーゼの変異体である。ＤＳＭ  １２６４９は、
（ａ）９、２６、１４９、１８２、１８６、２０２、２５７、２９５、２９９、３２３、３３９及び３４５のうち１つ以上の位置における突然変異、並びに（ｂ）任意に、存在する場合には好ましくはＲ１１８Ｋ、Ｄ１８３＊、Ｇ１８４＊、Ｎ１９５Ｆ、Ｒ３２０Ｋ及び／又はＲ４５８Ｋを含んでなる１１８、１８３、１８４、１９５、３２０及び４５８の１つ以上、好ましくは全ての位置における置換及び／又は欠失を有する。
【００６７】
好適な市販のアミラーゼ酵素としては、Ｓｔａｉｎｚｙｍｅ（登録商標）Ｐｌｕｓ、Ｓｔａｉｎｚｙｍｅ（登録商標）、Ｎａｔａｌａｓｅ、Ｔｅｒｍａｍｙｌ（登録商標）、Ｔｅｒｍａｍｙｌ（登録商標）Ｕｌｔｒａ、Ｌｉｑｕｅｚｙｍｅ（登録商標）ＳＺ（全てＮｏｖｏｚｙｍｅｓ，Ｂａｇｓｖａｅｒｄ，Ｄｅｎｍａｒｋ）、及びＳｐｅｚｙｍｅ（登録商標）ＡＡ、又はＵｌｔｒａｐｈｌｏｗ（Ｇｅｎｅｎｃｏｒ，Ｐａｌｏ  Ａｌｔｏ，ＵＳＡ）が挙げられる。
【００６８】
コリンオキシダーゼ。組成物は、Ｄ．Ｒｉｂｉｔｓｃｈら、Ａｐｐｌｉｅｄ  Ｍｉｃｒｏｂｉｏｌｏｇｙ  ａｎｄ  Ｂｉｏｔｅｃｈｎｏｌｏｇｙ，Ｖｏｌｕｍｅ  ８１，Ｎｕｍｂｅｒ  ５，ｐｐ  ８７５〜８８６，（２００９）に開示される技術を使用して生成される、アルスロバクタ・ニコチアナエに内因性の５９．１ｋＤａのコリンオキシダーゼ酵素などの、コリンオキシダーゼ酵素を含んでよい。
【００６９】
他の酵素。他の好適な酵素は、植物、細菌、又は真菌由来のものを含む、ペルオキシダーゼ／オキシダーゼである。化学修飾された変異体又は改質されたタンパク質変異体が含まれる。有用なペルオキシダーゼの例は、コプリナス（Coprinus）属のペルオキシダーゼ、例えば、国際公開特許第９３／２４６１８号、同第９５／１０６０２号、及び同第９８／１５２５７号に記載のようなＣ．サイネレウス（cinereus）及びその変異型のペルオキシダーゼである。
【００７０】
市販のペルオキシダーゼとしては、ＧＵＡＲＤＺＹＭＥ（登録商標）（Ｎｏｖｏｚｙｍｅｓ  Ａ／Ｓ）が挙げられる。
【００７１】
その他好ましい酵素として、Ｐｅｃｔａｗａｓｈ（登録商標）、Ｐｅｃｔａｗａｙ（登録商標）の商品名で販売されるペクチン酸リアーゼ；Ｍａｎｎａｗａｙ（登録商標）の商品名で販売されるマンナナーゼ（全てＮｏｖｏｚｙｍｅｓ  Ａ／Ｓ，Ｂａｇｓｖａｅｒｄ，Ｄｅｎｍａｒｋから）、及びＰｕｒａｂｒｉｔｅ（登録商標）（Ｇｅｎｅｎｃｏｒ  Ｉｎｔｅｒｎａｔｉｏｎａｌ  Ｉｎｃ．，Ｐａｌｏ  Ａｌｔｏ，Ｃａｌｉｆｏｒｎｉａ）；クチナーゼ；ラッカーゼ；ホスホリパーゼ；リゾホスホリパーゼ；アシルトランスフェラーゼ；ペルヒドロラーゼ；アリールエステラーゼ；並びにこれらの任意の混合物が挙げられる。
【００７２】
他の成分
色相染料
いくつかの実施形態では、注ぎ可能な水性洗剤組成物は色相染料を含んでなる。任意の好適な色相染料が有用であり得る。有用な色相染料の非限定的な例として、米国特許第７，２０５，２６９号、同第７，２０８，４５９号、及び同第７，６７４，７５７  Ｂ２号に見出されるものが挙げられる。例えば、色相染料は、トリアリールメタンブルー及びバイオレット塩基性染料、メチンブルー及びバイオレット塩基性染料、アントラキノンブルー及びバイオレット塩基性染料、アゾ染料塩基性ブルー１６、塩基性ブルー６５、塩基性ブルー６６、塩基性ブルー６７、塩基性ブルー７１、塩基性ブルー１５９、塩基性バイオレット１９、塩基性バイオレット３５、塩基性バイオレット３８、塩基性バイオレット４８、オキサジン染料、塩基性ブルー３、塩基性ブルー７５、塩基性ブルー９５、塩基性ブルー１２２、塩基性ブルー１２４、塩基性ブルー１４１、ナイルブルーＡ及びキサンテン染料塩基性バイオレット１０、アルコキシル化トリフェニルメタンポリマー着色剤、アルコキシル化チオフェン（thiopene）ポリマー着色剤；チアゾリウム染料、並びにこれらの混合物の群から選択してよい。
【００７３】
好ましい色相染料として、国際公開第０８／８７４９７  Ａ１号に含まれる増白剤が挙げられる。これらの増白剤は以下の構造（Ｉ）によって特徴付けることができる：
【化４】
2013536128.tif 000006
式中Ｒ１及びＲ２は、以下から独立して選択され得る：
ａ）［（ＣＨ２ＣＲ’ＨＯ）ｘ（ＣＨ２ＣＲ”ＨＯ）ｙＨ］
式中、Ｒ’は、Ｈ、ＣＨ３、ＣＨ２Ｏ（ＣＨ２ＣＨ２Ｏ）ｚＨ、及びそれらの混合物からなる群から選択され、Ｒ”はＨ、ＣＨ２Ｏ（ＣＨ２ＣＨ２Ｏ）ｚＨ、及びこれらの混合物からなる群から選択され、ｘ＋ｙ≦５であり、式中、ｙ≧１であり、式中、ｚ＝０〜５であり、
ｂ）Ｒ１＝アルキル、アリール又はアリールアルキル、かつＲ２＝［（ＣＨ２ＣＲ’ＨＯ）ｘ（ＣＨ２ＣＲ”ＨＯ）ｙＨ］
式中、Ｒ’はＨ、ＣＨ３、ＣＨ２Ｏ（ＣＨ２ＣＨ２Ｏ）ｚＨ、及びそれらの混合物からなる群から選択され、Ｒ”はＨ、ＣＨ２Ｏ（ＣＨ２ＣＨ２Ｏ）ｚＨ、及びそれらの混合物からなる群から選択され、ｘ＋ｙ≦１０であり、ｙ≧１であり、ｚ＝０〜５であり、
ｃ）Ｒ１＝［ＣＨ２ＣＨ２（ＯＲ３）ＣＨ２ＯＲ４］、及びＲ２＝［ＣＨ２ＣＨ２（ＯＲ３）ＣＨ２ＯＲ４］
式中、Ｒ３はＨ、（ＣＨ２ＣＨ２Ｏ）ｚＨ、及びこれらの混合物からなる群から選択され、ｚ＝０〜１０であり、
Ｒ４は（Ｃ１〜Ｃ１６）アルキル、アリール基、及びこれらの混合物からなる群から選択され、
ｄ）Ｒ１及びＲ２はスチレンオキシド、グリシジルメチルエーテル、イソブチルグリシジルエーテル、イソプロピルグリシジルエーテル、ｔ−ブチルグリシジルエーテル、２−エチルヘキシルグリシジルエーテル及びグリシジルヘキサデシルエーテルのアミノ付加生成物、から独立して選択することができ、更に、１〜１０個のアルキレンオキシド単位を付加するもの、から独立して選択することができる。
【００７４】
本発明の好ましい増白剤は下記の構造（ＩＩ）によって特徴付けることができる：
【化５】
2013536128.tif 000007
式中、Ｒ’はＨ、ＣＨ３、ＣＨ２Ｏ（ＣＨ２ＣＨ２Ｏ）ｚＨ、及びこれらの混合物からなる群から選択され、Ｒ”はＨ、ＣＨ２Ｏ（ＣＨ２ＣＨ２Ｏ）ｚＨ、及びこれらの混合物からなる群から選択され、ｘ＋ｙ≦５であり、ｙ≧１であり、ｚ＝０〜５である。
【００７５】
本発明の更に好ましい増白剤は、以下の構造（ＩＩＩ）によって特徴付けることができる：
【化６】
2013536128.tif 000008
【００７６】
いくつかの態様では、構造ＩＩＩを特徴とする増白剤は、合計５つのＥＯ基を有する混合物である。この構造は、上記「パートａ」の以下のペンダント基の構造Ｉにおける以下の選択によって達成される。
【表１】
2013536128.tif 000009
【００７７】
有用な更なる増白剤は、米国特許出願公開第２００８  ３４５１１  Ａ１号（Ｕｎｉｌｅｖｅｒ）に記載されているものが挙げられる。好ましい剤は、この公開特許４ページに図示される「バイオレット１３」である。
【００７８】
構造剤
本発明のいくつかの実施形態では、液体洗濯洗剤組成物は構造剤を更に含んでなる。有用な構造剤として、米国特許出願公開第２００６／０２０５６３１Ａ１号、同第２００５／０２０３２１３Ａ１号、米国特許第７２９４６１１号、同第６８５５６８０号に開示されるものが挙げられる。米国特許第６８５５６８０号では、好適なヒドロキシ官能結晶性物質が詳細に定義されている。好ましいものは、硬化ヒマシ油である。有用な構造剤の非限定例として、硬化ヒマシ油；硬化ヒマシ油誘導体；微小繊維性セルロース；ヒドロキシ官能結晶性物質、長鎖脂肪アルコール、１２−ヒドロキシステアリン酸；粘土、及びこれらの混合物の群から選択されるものが挙げられる。いくつかの実施形態では、交互に低分子量有機ゲル化剤を使用してよい。このような物質は、Ｒｉｃｈａｒｄ  Ｇ．Ｗｅｉｓｓ及びＰｉｅｒｒｅ  Ｔｅｒｅｃｈ編集のＭｏｌｅｃｕｌａｒ  Ｇｅｌｓ，Ｍａｔｅｒｉａｌｓ  ｗｉｔｈ  Ｓｅｌｆ−Ａｓｓｅｍｂｌｅｄ  Ｆｉｂｒｉｌｌａｒ  Ｎｅｔｗｏｒｋｓに定義されている。
【００７９】
真珠光沢剤
本発明のいくつかの実施形態では、液体洗濯洗剤組成物は真珠光沢剤を更に含んでなる。有用な真珠光沢剤として、米国特許出願公開第２００８／０２３４１６５Ａ１号に記載されるものが挙げられる。真珠光沢剤の非限定例は、雲母；二酸化チタン被覆雲母；オキシ塩化ビスマス；魚のうろこ；以下の式のアルキレングリコールのモノ及びジエステルの群から選択してよい。
【化７】
2013536128.tif 000010
式中、
ａ．Ｒ１は直鎖又は分枝鎖のＣ１２〜Ｃ２２アルキル基であり、
ｂ．Ｒは直鎖又は分枝鎖のＣ２〜Ｃ４のアルキレン基である。
【００８０】
ｃ．Ｐは、Ｈ；Ｃ１〜Ｃ４アルキル；又は−ＣＯＲ２の群から選択され、
ｄ．ｎ＝１〜３である。
【００８１】
いくつかの実施形態では、アルキレングリコールがエチレングリコールジステアリン酸（ＥＧＤＳ）であるようにＲ２はＲ１と同じである。
【００８２】
汚れ
本発明の製品は、様々な汚れを効果的に除去する。汚れの非限定例として、油脂性の汚れ（飽和及び／又は不飽和を含む）、屋外の汚れ、赤色汚れ、飲料汚れ、血液、食物汚れ、及びこれらの混合物が挙げられる。飽和油脂性の汚れの非限定例として、タコスの油、ベーコンの油、及びハンバーガーの油が挙げられる。不飽和の汚れの非限定例として、オリーブ油、キャノーラ油、マーガリン、及びイタリアンドレッシングが挙げられる。屋外の汚れの非限定例として、草及び粘土（有機及び／又は無機）が挙げられる。赤色の汚れの非限定例として、ケチャップ及びトマトソースが挙げられる。飲料の汚れの非限定例として、グレープジュース、ワイン、ソーダ、及びＣｏｏｌａｉｄ（商標）が挙げられる。汚れの更なる非限定例として、化粧料、血液、チョコレート、肉汁、及び果物の汚れが挙げられる。
【００８３】
ＣＡＰ
図１は、汚れを前処理するのに使用され得る洗剤組成物３００を分与するためのキャップ１０の実施形態を例示する。キャップ１０は基部２０を備えてなる。基部２０は基部の内部３０、及び基部の内部３０と反対側の基部の外部４０を有する。基部の内部３０は周辺部５０を有する。基部２０は、材料の単一層、例えば高密度ポリエチレン若しくはポリプロピレン、多層化材料、中空部材、又は洗濯洗剤組成物３００の容器１１０のキャップ１０に使用されるのに十分な構造的一体性を有する、任意の他のこのような構造体又は材料であってよい。基部の外部４０は、センチメートルの尺度で測定されたとき、テーブル、又は洗濯機若しくは乾燥機の平坦な一部分など、実質的に平坦である他の表面上に安定して設定され得る表面構成を提供することができる。かかる表面構成は概ね平坦な表面、又は起伏のある表面構成であってもよい。基部２０が平坦な表面上に設定されたとき、容器１１０からの洗剤組成物３００は、キャップ１０の注ぎ容積１００内に注ぐことができ、キャップ１０は、洗剤組成物３００が注ぎ容積１００に注がれるとき、容易に横転しない。
【００８４】
容器壁部６０は周辺部５０から縁９０まで延びる。容器壁部６０は、キャップの長手方向軸Ｌを中心に延びる。容器壁部６０は内面７０、及び内面７０と反対側の外面８０を有する。容器壁部６０は、材料の単一層、例えば高密度ポリエチレン若しくはポリプロピレン、多層化材料、中空部材、又は洗濯洗剤組成物３００の容器のキャップ１０として使用されるのに十分な構造的一体性を有する、任意の他のこのような構造体又は材料であってよい。内面７０は、洗剤組成物３００の適切な単位用量を提供する所望のレベルの洗剤組成物３００にマークを付ける、１つ以上のしるし６２を備えてもよい。しるし６２は、エッチング、凹部、隆起部、印刷、又は消費者によって観察可能である任意の他の構造体であり得る。容器壁部６０は円筒部分であってもよい。
【００８５】
内面７０及び基部の内部３０は共に注ぎ容積１００を画定し、基部の内部３０は、注ぎ容積１００の閉鎖端部を形成する。注ぎ容積１００は、洗剤組成物３００の単位容量を提供するような大きさかつ寸法にされ得る。洗剤組成物３００は、液体洗剤組成物３００は、ＴＩＤＥ（Ｔｈｅ  Ｐｒｏｃｔｅｒ  ＆  Ｇａｍｂｌｅ  Ｃｏ．（Ｃｉｎｃｉｎｎａｔｉ，ＯＨ，ＵＳＡ）から入手可能）など例えば市販されている任意の液体洗剤などの液体洗剤組成物３００であってもよい。一実施形態では、内面７０及び基部の内部３０は共に、カップの閉鎖端を形成する基部の内部３０を備える開口した又は部分的に開口したカップを形成する。長手方向軸Ｌは、縁９０によって又は縁９０によって部分的に画定されるキャップ１０の開口端部の開口部分を通じて延びることができる。
【００８６】
容器壁部６０の内面７０は、長手方向軸Ｌを中心とした回転面によって画定され得る。一実施形態では、容器壁部６０の内面７０は、中空の円筒の内面の一部分によって画定され得る。長手方向軸Ｌに平行でない関数の回転面、及び、非線型関数の回転面が考慮される。回転面である容器壁部６０の内面７０を有するキャップ１０は、キャップ１０の製造の容易さをもたらすことができ、製造及びパッケージング中に、洗剤組成物３００で容器１１０を充填した後、キャップ１０を容器１１０と係合する。
【００８７】
キャップ１０は、洗剤組成物３００を含む容器１１０に密封係合され得る。密封係合されることによって、キャップ１０は、容器１１０及びその内部に保管された洗剤組成物３００の製造、パッケージング、搬送、取り扱い、保管、及び使用中に生じる、キャップ１０及び容器１１０への応力下において、許容されない量の洗剤組成物３００を容器から漏洩しない。キャップ１０はキャップ１０上に配置されたコネクタ１３０、及び容器の開口部１１２上に配置された対応の受容部１３２によって密閉係合され得る。コネクタ１３０及び対応の受容部１３２は、突起部及び溝部の組み合わせであってもよく、この組み合わせは、突起部がコネクタ１３０若しくは受容部１３２であってもよく、溝部は、突起部でないコネクタ１３０及び受容部１３２のいずれかであるように、配置される。コネクタ１３０及び受容部１３２は、キャップ１０及び容器１１０上に螺旋状に設けられた、対応する配置されたねじ山１３４に連結してもよい。すなわち、コネクタ１３０はねじ山であってよく、かつ受容部１３２は対応するねじ山であってもよい。キャップ１０は、キャップ１０上に螺旋状に配置されたでねじ山１３４、及び容器１１０の開口部１１２上に対応して配置されたねじ山１３４によって容器と密閉係合されてもよい。キャップ１０は、コネクタ１３０が容器１１０上で受容部１３２と動作可能に係合され得るように、任意の好適な位置に、コネクタ１３０を備えてもよい。コネクタ１３０は、容器壁部６０の外面８０上に配置されてもよい。コネクタ１３０は、容器壁部６０の内面７０上に配置されてもよい。キャップ１０は、ねじ山１３４がコネクタ１１０と動作可能に係合され得るように、任意の好適な位置に、ねじ山１３４を備えてもよい。ねじ山１３４は容器壁部６０の外面８０上に配置されてもよい。ねじ山１３４は、容器壁部６０の内面７０上に配置されてもよく、これはキャップ１０の、より清浄な使用をもたらすことができる。キャップ１０は、圧入によって容器１１０に解放可能に取り付け可能であり、かつそこから取り外し可能であってもよい。
【００８８】
図１に示すように、縁９０は堰１６０を有してもよい。堰１６０は、キャップ１０からの洗剤組成物３００の流量を抑制することによって、少量の洗剤組成物３００が汚れに塗布されたとき、布地の汚れに洗剤組成物３００の、より正確な送達を提供することができる。堰１６０は、Ｖ形状、半円の形状、台形の形状、動水半径を記述する不連続関数を有するマルチレベルの堰、又は洗剤組成物３００の流量を抑制する任意の他のかかる形状を含む、堰の任意の一般的な形状であってもよい。
【００８９】
キャップ１０は、縁９０上、コネクタ１３０と縁９０間の外面８０上、及びこれらの組み合わせからなる群から選択される位置に、複数の第１表面凹凸部１５０を備えることができる。例えば、図１に示されるように、第１表面凹凸部１５０は、縁９０上、及びコネクタ１３０と縁９０との間にあるとして示される。第１表面凹凸部１５０は、縁９０上であってもよい。第１表面凹凸部１５０は、縁９０の約５ｍｍ内であってもよい。第１表面凹凸部１５０は、縁９０上、又は縁９０の約５ｍｍ内であってもよい。第１表面凹凸部１５０は、縁９０上、かつキャップ１０上に設けられたコネクタ１３０と、縁９０との間であってもよい。消費者がキャップ１０を把持し、注ぎを実行するとき、いったん注がれると、そのように配置された第１表面凹凸部１５０は、消費者がその手にキャップを再配置する必要なく、第１表面凹凸部１５０を用いて、布地上の汚れをこすり洗いするために使用される。更に、第１表面凹凸部１５０を配置することによって、例えば前処理し、洗剤組成物３００を投与するためにキャップ１０を使用した後など、その上に少量の洗剤組成物３００を有する場合がある第１表面凹凸部１５０、容器１１０内部のいずれかの乱雑状態を保持することができは、容器１１０の開口部１１２内に戻して適合される。
【００９０】
汚れ前処理プロセスの一部として、布地内の汚れに洗剤組成物３００が塗布される前又は後に、第１表面凹凸部１５０は、汚れた布地に対してこすることができる地形学的に多用な表面を提供することができる。地形学的に多用な表面は、平滑でない表面である。布地上の汚れに対してこすられるとき、第１表面凹凸部１５０は、汚れの凝集を除去し、布地の繊維構造を変形させ、洗剤組成物３００が繊維構造に、より完全に浸透するのを可能にし、布地の繊維を操作することによって、繊維のより大きな表面積が洗剤組成物３００によって湿潤されるのを可能にするのを助けると考えられる。理論に束縛されるものではないが、汚れの凝集を除去すること、洗剤組成物３００を用いて、より完全に汚れた布地に浸透すること、及び繊維のより大きな表面積に洗剤組成物３００を塗布することは、布地の汚れの前処理の有効性を改善することができると考えられる。
【００９１】
複数の第１表面凹凸部１５０は、複数の第１表面凹凸部１５０に隣接するキャップ１０の部分の表面トポグラフィとは異なる表面トポグラフィを有することができる。第１表面凹凸部１５０は、複数のピークと、隣接するピーク同士の間に振幅及び約０．１ｍｍよりも大きい低い部分を有する複数の低い部分と、を有する表面を提供することができる。第１表面凹凸部１５０は、複数のピークと、隣接するピーク同士の間に振幅及び約０．２ｍｍよりも大きい低い部分を有する複数の低い部分と、を有する表面を提供することができる。第１表面凹凸部１５０は、複数のピークと、隣接するピーク同士の間に振幅及び約０．５ｍｍよりも大きい低い部分を有する複数の低い部分と、を有する表面を提供することができる。第１表面凹凸部１５０は、複数のピークと、隣接するピーク同士の間に振幅及び約１ｍｍよりも大きい低い部分を有する複数の低い部分と、を有する表面を提供することができる。低い部分は谷部分であってもよい。複数の第１表面凹凸部１５０は、領域に隣接するキャップ１０の部分の表面トポグラフィとは異なる表面トポグラフィを有する領域を画定することができる。第１表面凹凸部１５０は、断続的に配置された凹んだ部分を有する、一連の上昇した部分であってもよい。凹んだ部分は連続的であってもよい。上昇した部分は連続的であってもよい。
【００９２】
縁９０は、第１表面凹凸部１５０と概ね位置合わせされる堰１６０を有してもよい。かかる実施形態では、「概ね位置合わせされる」によって、堰１６０及び第１表面凹凸部１５０は、長手方向軸Ｌを中心２５に、互いに少なくとも約０．２５πラジアン内であるということを意味する。例えば、図１に示されるように、堰１６０は第１表面凹凸部１５０と位置合わせされてもよい。キャップ１０のユーザーが汚れを前処理するために、堰１６０にわたって洗剤組成物３００を分与するとき、消費者は、ユーザーが汚れに対して第１表面凹凸部１５０をこするために、その手を再配置する必要がないような位置でキャップ１０を保持しているため、かかる実施形態は実用的であり得る。更に、消費者が注ぎを観察するとき、消費者は第１表面凹凸部１５０を見る可能性があり、これは消費者に、第１表面凹凸部１５０を使用して汚れをこすり洗いするための視覚的合図を提供する。
【００９３】
更に、そのように配置された第１表面凹凸部１５０を用いて、ユーザーは、単位用量の注ぎが始められたとき、第１表面凹凸部１５０を見ることができる。これは、消費者にとって、汚れを前処理する前に洗面器に単位用量を注ぐときに、消費者が第１表面凹凸部１５０を見る場合、消費者にとって、汚れを前処理するリマインダーとして実用的であり得る。
【００９４】
一実施形態では、第１表面凹凸部１５０は第１材料を含むことができ、第１材料の隣のキャップ１０の他の部分は第２材料を含むことができ、第１材料及び第２材料は互いに異なる。一実施形態では、第１表面凹凸部１５０は第１材料を含んでもよく、第１材料の隣のキャップ１０の他の部分は、第２材料を含んでもよく、第１材料及び第２材料は、弾性係数、化学組成、ショアＡ硬度、色、及びこれらの組み合わせよりなる群から正しく選択されることによって、互いに異なる。ショアＡ硬度は、材料が評価されるとき、同じ組成物の材料でＡＳＴＭ  Ｄ２２４０に従って測定される。第１材料から構成される第１表面凹凸部１５０を備えてなるキャップ１０、及び第２材料を含んでなる第１材料の隣のキャップ１０の他の部分は、第１材料及び第２材料が別個のショットで成形型に送達される２ショットの射出成形プロセスによって形成されてもよい。一実施形態では、第１材料は、ポリプロピレン、ゴム、ネオプレン、及び／又はＫＲＡＴＯＮを含んでもよい。一実施形態では、第１材料の隣のキャップ１０の部分は、高密度ポリエチレン、ポリプロピレン、ポリアミド、スチロールアクリロニトリル（styro lacrylintrol）であってもよい。第１表面凹凸部はエラストマー材であってもよい。
【００９５】
一実施形態では、より低いショアＡ硬度又はより低い弾性係数によって示され得るように、第１材料はユーザーにとって、第２材料よりも、より柔軟な感触を有してもよい。第２材料は、洗剤組成物３００のパッケージング、保管、搬送、及び展示中、並びに汚れを前処理するために消費者によるキャップ１０の使用中に、許容可能な全体の構造的安定性を提供するように選択されてもよい。より容易に変形可能な第１材料は、第２材料から形成されたこすり表面よりも、処理される布地上に穏やかであり、かつ処理される布地を損傷させる場合がないこすり洗い表面を提供してもよい。第１材料は約２０〜約８０のショアＡ硬度を有してよい。第１材料は約４０〜約６０のショアＡ硬度を有してよい。第１材料は、第１材料の隣のキャップ１０の一部分のショアＡ硬度の約８０％未満であるショアＡ硬度を有してもよい。
【００９６】
第１材料及び第２材料を２つの異なる色で提供することは、キャップ１０のどの部分が、汚れをこすり洗いするために使用されるように設計されているかということを素早く識別するのを助けることができ、キャップの製造及び／又は組み立て、並びに洗剤組成物３００のパッケージング中にキャップ１０を位置決めするのに使用され得る視覚システムにとって有用であり得る。異なる化学組成を有するように第１材料及び第２材料を提供することは、キャップ１０のために、キャップ１０のどの異なる部分が異なる機能（例えば、キャップの１つの部分はこすり洗いに関して実用的かつ耐久性があり、キャップ１０の他の部分は構造的安定性を提供する）を提供するために設計されているということを生じさせることができる。
【００９７】
潜在的に、より清浄な汚れの前処理プロセスを提供するために、キャップ１０は、容器壁部６０の外面８０を少なくとも部分的に包囲するコレクタ２５０を提供することができ、この実施例は図１に示されている。コレクタ２５０は、容器壁部６０の外面を少なくとも部分的に囲む、又はこれを囲むことができる。コレクタ２５０は、洗剤組成物３００がキャップ１０から分与されたとき、縁９０又は開口部から滴る場合がある洗剤組成物３００の容積の保持を提供することができる。コレクタ２５０の一部分は、容器壁部６０の外面８０から離間されてもよい。コレクタ２５０における空間及び外面８０によって画定される保持容積は、縁９０、堰１６０、又は開口部と、キャップ１０上に配置されたコネクタ１３０との間の洗剤組成物３００の流量の水力経路に沿って配置され得る。コレクタ２５０は、コネクタ１３０に洗剤組成物３００がない状態を保持するのを助けることによって、消費者が洗剤組成物３００と物理的に接触する場合がある可能性を低減する。コレクタ２５０は、容器１１０の開口部１１２に適合するような大きさかつ寸法であってもよく、これによって、キャップ１０が前処理デバイスとして使用された後、容器１１０に再び取り付けられるとき、コレクタに捕獲された洗剤組成物３００が容器１１０に戻って滴る。
【００９８】
複数の第１表面凹凸部１５０は、リング、リブ１５２、突起部、毛、繊維、及びこれらの組み合わせからなる群から選択される構造体であり得る。リブは、上昇した部分に対して窪んでいる、断続的に配置された細長い凹んだ部分を備える複数の細長い上昇した部分である。リブ１５２は例えば、基材にエッチングされた、又は成形された複数の隣接した溝部であってもよく、並びに複数の隣接した隆起部であってもよい。リブは、例えば基材に複数の隣接した溝部をエッチングすることによって、複数の隣接した溝部を背後に残すように基材を成形することによって、及び複数の隣接した隆起部を背後に残すように基材を成形することによって、基材に形成されてもよい。第１表面凹凸部１５０を有するキャップ１０の一部分及び／又は複数のリブ１５２を有する第２表面凹凸部を形成することができる基材の実施例は、図２に概略的に例示されている。リブ１５２は、直線縁部及び円形を含め、任意の所望の断面を有してもよい。リブ１５２は、それらの長さに沿って湾曲していてもよい。リブ１５２は、布地を効果的にこすり洗いし、マッサージすることができる、凹凸のあるトポグラフィを提供すると考えられる。
【００９９】
突起部１５４は、隣接する部分に対して上昇している、又は窪んでいる、概ね二次元の対称的な形状であり、その実施例の概略は図３に示されている。突起部は、非限定的な実施例として、半球の一部分の形状を有する上昇した部分若しくは窪んだ部分、又は直径Ｄの半分未満である高さＨを有する円筒の形状を有する上昇した部分若しくは窪んだ部分であり得る。第１表面凹凸部１５０を有するキャップ１０の一部分及び／又は複数の突起部１５４を有する第２表面凹凸部１５５を形成することができる基材の実施例は、図３に概略的に例示されている。突起部１５４は、布地を効果的にこすり洗いし、マッサージすることができる、凹凸のあるトポグラフィを提供すると考えられる。
【０１００】
複数の毛１５６を有するキャップ１０の一部分の実施例は、図４に概略的に例示されている。毛１５６は、約０．５よりも大きい直径Ｄに対する高さＨのアスペクト比を有するフィラメントである。直径Ｄは、毛１５６がキャップ１０から延びる位置である毛の基部において測定される。毛１５６の高さＨは、そこから毛１５６の基部が、毛１５６と共に延びる表面に直交して測定され、毛１５６は、毛１５６の基部がそこから延びる表面から直交して延びる。毛１５６は、そこから毛１５６の基部が延びる表面から延びるとき、自立する形状を有することができる。非円筒形の断面を有する毛１５６に関して、直径Ｄは、そこから毛１５６がキャップ１０から延びる位置に、毛１５６の断面積と同じ断面積を有する円筒形の直径であるようにとられる。フィラメントは別個のフィラメントであってもよい。毛１５６は、約１よりも大きい、直径Ｄに対する高さＨのアスペクト比を有するフィラメントであってもよい。毛１５６は、約０．５よりも大きい、直径Ｄに対する高さＨのアスペクト比を有するフィラメントであり得る。毛１５６は概ね円柱状の毛１５６であってもよい。毛１５６は、布地を効果的にこすり洗いし、マッサージすることができる、粗い質感／トポグラフィを提供すると考えられる。毛１５６は中空であってもよい。毛１５６は、固定された端部２５６及び自由端２５７を有してもよい。毛１５６は約１ｍｍ〜約１０ｍｍの高さを有してよい。毛１５６は約３ｍｍ〜約７ｍｍの高さを有してよい。毛１５６は約７ｍｍ未満の高さを有してよい。
【０１０１】
リング１５８は閉鎖形状であり、その中では形状の中央部分１５９は形状の周辺部分１６１に対して凹んでおり、その概略的な実施例は図５に示されている。リング１５８は、布地を効果的にこすり洗いし、マッサージすることができる、凹凸のあるトポグラフィを提供するという点で実用的であると考えられる。リングは約０．５ｍｍ〜約３ｍｍの高さを有してよい。リングは約２ｍｍ未満の高さを有してよい。リングは約１．５ｍｍの高さを有してよい。
【０１０２】
繊維が織布、不織布、フック又はループ式の繊維であってもよく、例えば所望の位置に、キャップ１０に取り付けられている織布又は不織布繊維によって提供されてもよい。キャップ１０の安価で、かつ容易に製造された実施形態は、第１表面凹凸部１５０として繊維を使用することによって作製され得る。
【０１０３】
少量の洗剤組成物３００の改良された制限のある注ぎを提供するキャップ１０も検討される。例えば、キャップ１０は、容器壁部６０又は縁９０からそれを通じて延びる開口部２２０を有する注ぎ棚部２１０を備えてもよく、その実施例は図６に示されている。開口部２２０は、別個かつ正確な注ぎを提供することができる。
【０１０４】
開口部２２０は、第１表面凹凸部１５０と概ね位置合わせされてもよい。かかる実施形態では、「概ね位置合わせされる」によって、開口部２２０及び第１表面凹凸部は、長手方向軸Ｌを中心に、互いに少なくとも約０．２５πラジアン内であるということを意味する。
【０１０５】
図６に例示されるように、注ぎ棚部２１０は、容器壁部６０又は縁９０から長手方向軸Ｌの方へ戻って延びてもよい。汚れた布地上への少量の洗剤組成物３００の注ぎを開始するためにキャップ１０が僅かに傾けられているとき、キャップ１０から開口部２２０を通じて洗剤組成物３００が分与されるのを可能にすることによって、注ぎ棚部２１０は、消費者が、汚れた布地に塗布される洗剤組成物３００の量を限定するのに役立つことができる。いったん正確な量の洗剤組成物３００が汚れた布地に塗布されると、キャップ１０に残っている洗剤組成物３００は、洗濯機の上で更にキャップ１０を傾けることによって洗濯機に投与することができ、洗濯組成物３００がキャップ１０から完全に注がれるのを可能にする。更なる便利性のために、開口部２２０は第１表面凹凸部１５０と概ね位置合わせされてもよく、これによってユーザーは第１表面凹凸部１５０を用いて汚れた布地のこすり洗いを始めるために、キャップ１０をその手に再配置する必要がない。
【０１０６】
図７に示されるように、他の代替の配列では注ぎ棚部２１０は容器壁部６０又は縁９０から延びることができ、開口部２２０は注ぎ棚部２１０と基部２０との間の容器壁部６０にあり、開口部２２０は第１表面凹凸部１５０と概ね位置合わせされる。かかる実施形態では、「概ね位置合わせされる」によって、開口部２２０及び第１表面凹凸部１５０は、長手方向軸Ｌを中心に、互いに少なくとも約０．２５πラジアン内であるということを意味する。
【０１０７】
消費者によって洗剤組成物３００が少量で注がれたとき、注ぎ棚部２１０は、洗剤組成物３００の流量の制限を提供するような大きさにされ、寸法にされ、及び配置されてもよい。注ぎ棚部２１０の一部分は容器壁部６０又は縁９０から戻って、長手方向軸Ｌの方へ延びてもよく、かつ長手方向軸Ｌに直交する面内にあってもよい。注ぎ棚部２１０の部分は面内の容器壁部６０又は縁９０から、長手方向軸Ｌに直交する約±０．５πラジアン内の面内に戻るように延びてもよい。注ぎ棚部２１０の一部分は注ぎ容積１００において下方に基部の内部３０に向かって更に延びてもよい。かかる設計は、前処理中に汚れに送達される洗剤組成物３００の量の改善された制御を提供し得る。
【０１０８】
図８に示されるように、コネクタ１３０が縁９０と第２表面凹凸部１５５との間であるように、キャップ１０の外側でキャップが複数の第２表面凹凸部１５５を備えてなる実施形態もまた検討される。キャップ１０は第２表面凹凸部１５５を有することができ、第１表面凹凸部１５０を有することができない。コネクタ１３０が縁９０と第２表面凹凸部１５５との間であるように、かつ場合によってはキャップ上の他の場所には提供されように、キャップのこすり洗い表面はキャップの外側に提供されてもよい。キャップ１０は、基部の外部４０の一部分上、外面８０の一部分上、及びこれらの組み合わせからなる群から選択される位置に、複数の第２表面凹凸部１５５を備えてもよい。
【０１０９】
第２表面凹凸部１５５が、長手方向軸Ｌを中心に非対称に配置されながら、外面８０上で、第２表面凹凸部１５５は、長手方向軸Ｌを中心に非対称に配置され、基部の外部４０上では第２表面凹凸部１５５が毛１５６を備えてなり、外面８０上では第２表面凹凸部１５５が毛１５６を備えてなり、及びこれらの組み合わせの状態で、キャップ１０は前述の基部の外部４０上からなる群から選択される位置に、複数の第２表面凹凸部１５５を備えることができる。かかる実施形態では、第２表面凹凸部１５５は、コネクタ１３０が縁９０と第２表面凹凸部１５５との間にあるように配置され得る。第２表面凹凸部１５５は、第１表面凹凸部１５０に関して上記の構造体のいずれかであってもよい。第２表面凹凸部１５５は、リング１５８、リブ１５２、突起部１５４、毛１５６、繊維、及びこれらの組み合わせからなる群から選択される構造体であってもよい。
【０１１０】
第２表面凹凸部１５５を、消費者が少量の洗剤組成物３００を分与して、汚れを前処理するように、第２表面凹凸部１５５が配置されるように、第２表面凹凸部１５５を配置することによって、第２表面凹凸部１５５は、ユーザーがキャップ１０をその手に再配置する、又は適切な位置において汚れに対してこすられるために第２表面凹凸部を位置決めすることができるように、その手を大きく動かす必要がないように、配置される。
【０１１１】
第２表面凹凸部１５５は第１材料を含んでもよく、第１材料の隣のキャップ１０の他の部分は、第２材料を含んでもよく、第１材料及び第２材料は、弾性係数、化学組成、ショアＡ硬度、色、及びこれらの組み合わせから選択される特性において、互いに異なる。かかる構成は同じ方式で、キャップ１０に関して上記と同じ理由のために提供されてもよく、ここでは第１表面凹凸部１５５はキャップ１０の他の部分と異なる材料から形成される。
【０１１２】
第２表面凹凸部１５５が、長手方向軸Ｌを中心に非対称に配置される実施形態は、キャップ１０のどの部分が、前処理中に汚れをこすり洗いするために提供されるかということを消費者が識別するのを助けることができる。非対称に配置されることによって、非対称に配置された第２表面凹凸部１５５が、外面８０又は基部の外部４０上の第２表面凹凸部１５５が単一位置（例えば長手方向軸Ｌ上のある点又は他の点など）付近でバランスがとられないように配置される。キャップ１０は、外面８０及び／又は基部の外部４０上に複数の把持凹凸部２６０を備えてもよく、把持凹凸部２６０は、容器１１０からキャップ１０を取り外すとき、消費者がキャップを把持するのを助ける構造体を提供するために所定の位置の付近に均一に分散され得る。把持凹凸部２６０は、１回対称、例えば長手方向軸Ｌ上のある点を通過する折れ目を有するように、ある位置の付近で外面８０及び／又は基部の外部４０上で対称に分布してもよい。
【０１１３】
第２表面凹凸部１５５は、第１材料から構成されてもよく、把持凹凸部２６０は第２材料から構成されてもよく、第１材料は第２材料とは、弾性率、化学組成、色、ショアＡ硬度、及びこれらの組み合わせから選択される特性において異なる。かかる構成は、こすり洗い器具として使用されるように設計されているキャップ１０の部分をユーザーが識別するのを助けることができる。
【０１１４】
キャップ１０は、注ぎ棚部２１０が容器壁部６０又は縁９０からそれを通じて延びる開口部２２０を有し、開口部２２０は第２表面凹凸部１５５と概ね位置合わせされている、あるいは注ぎ棚部２１０は容器壁部６０又は縁９０から延び、開口部２２０は、注ぎ棚部２１０と基部２０との間で容器壁部６０にあり、開口部２２０は第２表面凹凸部１５５と概ね位置合わせされる、キャップ１０であってもよい。かかる実施形態の態様の実例は図８に示されている。
【０１１５】
図９に示されているように、縁９０は堰１６０を有する場合があり、堰１６０は第２表面凹凸部１５５と概ね位置合わせされ得る。かかる実施形態では、「概ね位置合わせされる」によって、堰１６０及び第２表面凹凸部１５５は、長手方向軸Ｌを中心に、互いに少なくとも約０．２５πラジアン内であるということを意味する。かかる実施形態では、ユーザーがキャップ１０を傾け少量の洗剤組成物３００を汚れに送達するとき、第２表面凹凸部１５５は自然に汚れに近接して配置され、ユーザーはキャップ１０を更に傾ける又はキャップ１０をその手に再配置する必要なく、こすり洗いの動作を容易に開始することができる。
【０１１６】
第２表面凹凸部１５５がリブ１５２である実施形態が図９に示されている。図９に示されるように、リブ１５２は、リブ１５２のパターンが外面８０の周囲にわたって延びないパターンで、長手方向軸Ｌを中心に非対称に配置される。把持凹凸部２６０のパターンは、把持凹凸部２６０のパターンが、外面８０の周囲にわたって延びるように、長手方向軸Ｌを中心に均一分散される。図９に示されるように、第２表面凹凸部１５５及び第１表面凹凸部１５０は、存在する場合、互いに概ね位置合わせされ得る。かかる実施形態では、「概ね位置合わせされる」ことによって、第１表面凹凸部１５０及び第２表面凹凸部１５５は、長手方向軸Ｌを中心に、互いに少なくとも約０．２５πラジアン内であるということを意味する。かかる実施形態は、消費者に、彼らがこすり洗いのために使用することを望むキャップの部分の選択肢を与えるために提供することができる。キャップ１０にある量の洗剤組成物３００が残っている場合、消費者は第２表面凹凸部１５５の使用を好む場合がある。消費者は、異なるタイプの汚れに対する有効性に基づいて、第１表面凹凸部１５０と第２表面凹凸部１５５との間で選択することができる。
【０１１７】
キャップ１０が第１表面凹凸部１５０及び第２表面凹凸部１５５の両方を有する場合、第２表面凹凸部１５５は第１表面凹凸部１５０に対して、物理的構造において実質的に同一であってもよい。かかる実施形態では、「実質的に同一」とは、第１表面凹凸部１５０及び第２表面凹凸部１５５は、異なるとしても、尺度又は寸法においてのみ異なる、同じ幾何学的特徴を有するということを意味する。例えば、第２表面凹凸部１５５が突起部１５４である場合、第１表面凹凸部もまた突起部１５４であってもよい。それぞれの位置における突起部１５４は同じ幾何学的特徴を有してもよく、突起部１５４の尺度又は寸法においてのみ異なっていてもよい。一実施形態では、第２表面凹凸部１５５はリブ１５２であってもよく、第１表面凹凸部１５０もまたリブ１５２であってもよい。かかる実施形態は、容器１１０が小売店において陳列されているとき、キャップ１０が容器１１０と係合されるとき、第１表面凹凸部１５０が見えにくくなる設計を提供してもよい。第２表面凹凸部１５５は、この状態では消費者にとって見えるため、第２表面凹凸部１５５は、消費者がパッケージを開ける必要なく、見えにくい第１表面凹凸部１５０がどのように見えるかについて消費者に対する目安を提供することができる。これは、消費者が購入の前に、キャップ１０に第１表面凹凸部１５０が備わっているかどうか見るために容器１１０を開けることを望む場合があるため、容器１１０が小売店で陳列されているときに重要であり得る。第２表面凹凸部１５５は、リング１５８、リブ１５２、突起部１５４、毛１５６、繊維、及びこれらの組み合わせからなる群から選択される実施形態が検討される。
【０１１８】
毛１５６である第２表面凹凸部１５５に関して、毛１５６は、例えば図８に示されるように毛が長手方向軸に概ね平行に位置合わせされるように、又は長手方向軸Ｌに直交して概ね位置合わせされるように形成されてもよい。かかる構成では、第２表面凹凸部１５５が汚れた布地に対してこすり洗いされるとき、キャップ１０が傾けられる傾向がある。したがって、ユーザーがキャップを用いてこすり洗いするとき、通常の力及び剪断力の組み合わせが、汚れた布地に送達され、毛１５６は、屈折することによって、ここの毛１５６の効果的なブラッシング運動を生じる傾向があり得る。
【０１１９】
毛１５６は、第２表面凹凸部１５５として存在する場合、毛１５６が長手方向軸Ｌからキャップ１０の外面８０の最大半径範囲で入れ子になるように設定されてもよい。かかる構成は、搬送、保管、及び使用中の損傷から毛１５６を保護することができる。同様の利益に関して、毛１５６は、長手方向軸Ｌに沿って最大軸範囲内に毛１５６が入れ子になるように設定することができる。
【０１２０】
縁９０が注ぎ口９２の形状を有するキャップ１０の実施例が図１０に示されている。縁９０が、注ぎ口９２の形状を有するキャップ１０が、汚れた布地に対する少量の洗剤組成物３００の正確な注入を提供し、並びに汚れの前処理中に偶発的に大量の洗剤組成物３００が分与されるのを防ぐのを助けるために実用的であり得る。様々な注ぎ口９２の形状、特に液体流をしっかりと導く傾向のあるこれらの形状が実用的であり得る。
【０１２１】
複数の第１表面凹凸部１５０が、注ぎ口９２の先端部において提供され得る。一度少量の洗剤組成物３００が汚れの上に注がれると、キャップ１０が第１表面凹凸部１５０が都合良く汚れに対してこすられるようにユーザーの手に配置されるように、第１表面凹凸部１５０は有利に配置されてもよい。更に、ユーザーが、汚れを前処理するときに少量の洗剤組成物３００のみを注ぎ容積１００内に配置し、キャップ１０をほとんど完全に傾けた場合、注ぎ口９２は依然としてユーザーに見えており、ユーザーは第１表面凹凸部１５０を見ることができ、ユーザーの汚れのこすり洗いを観察することができる。注ぎ口９２を有さずに、洗剤組成物３００が分与される側と反対側に配置された縁９０の部分は、第１表面凹凸部１５０及び消費者の汚れのこすり洗いの視界を邪魔する場合がある。更に、消費者がその手首を回転するとき、人指し指と親指との間の縁９０上のある位置から流れが生じるように、消費者はキャップ１０から注ぐ傾向があるため、消費者がこれらの機構を活用するためにこれらの機構が便利かつ人間工学的に配置されるように、第１表面凹凸部１５０は配置され得る。例えば、キャップ１０は、縁９０上、キャップ１０上に配置されたコネクタ１３０と縁９０との間、及びこれらの組み合わせからなる群から選択される位置に、複数の第１表面凹凸部１５０を備えることができる。
【０１２２】
実用的な注ぎ口９２の１つの代表的な設計は、図１１に示されるように円筒部であってもよい。円筒形の部分の形状を有する注ぎ口９２は、縁９０の許容不可能な量の変形が汚れのこすり洗い中に発生しないように、構造的に安定であってもよい。更に、キャップ１０の注ぎ容積１００を洗剤組成物３００で充填した後、ユーザーは洗剤組成物３００の潤滑面を地面と水平に保持しようとする傾向がある場合がある。注ぎ容積１００における洗剤組成物３００の潤滑面が水平に保たれるとき、キャップ１０のプロファイル図は見る者にとって角度の付いた縁９０を呈する。キャップ若しくはカップなど、投与デバイスに対する消費者の期待は、例えば円筒形の注ぎ容積１００を有するキャップの場合のように、キャップの縁９０が地面と水平であるべきであるというものであり得る。したがって、洗剤組成物３００を塗布して、汚れを前処理するとき、消費者は、カップ１０から洗剤組成物３００を注ぎ出す際に、キャップの縁９０を自然にかつ直感的に平らにしようと試みる場合がある。消費者は、消費者が手首を回転するとき、流量が消費者の人差し指と親指の間のある位置から生じるように、キャップ１０から注ぐ傾向があり得る。これらの見識を備えて、設計者は、縁９０のどの部分を消費者がそこから注ぐために選択するのかということに大きな影響を有することができる場合がある。消費者を、縁９０の特定部分から注ぐようにさせることによって、設計者はキャップ上の他の機構の位置、例えば第１表面凹凸部１５０、第２表面凹凸部１５５、開口部２２０、注ぎ棚部２１０、堰１６０、及びコレクタ２５０を、これらの形状が便利にかつ人間工学的に、ユーザーの手にキャップ１０を再配置することなくユーザーがこれらの形状を使うことができるように、調整することができる。
【０１２３】
１つの例示の実施形態では、縁９０は、基部の外部４０に対して、約５度を超える角度βで傾斜した面に平行であってもよい。１つの例示の実施形態では、縁９０は、基部の外部４０に対して、約１０度を超える角度βで傾斜した面に平行であってもよい。１つの例示の実施形態では、縁９０は、基部の外部４０に対して、約１５度を超える角度βで傾斜した面に平行であってもよい。
【０１２４】
縁９０は先端部９４を有してもよく、これは洗剤組成物３００が注ぎ容積１００内に注がれ得るように、平坦な面上にキャップ１０が配置されたとき、縁９０の最も高い部分である。縁９０は堰１６０を備えていてもよい。一実施形態では、縁９０は、基部の外部４０に対して、約５度を超える角度βで傾斜した面に平行であってもよく、縁は基部の外部４０に対する先端部９４を有してもよく、並びにキャップ１０は縁９０上で複数の第１表面凹凸部１５０を備えることができる。
【０１２５】
注ぎ口９２を有するキャップ１０は、基部の外部４０の一部分又は外面８０の一部分上に複数の第２表面凹凸部１５５を有することができ、その実施例は図１２に示されている。１つの例示的な実施形態では、先端部９４及び第２表面凹凸部１５５は互いに概ね位置合わせされる。かかる実施形態では、概ね位置合わせされることによって、先端部９４及び第２表面凹凸部１５５は、長手方向軸Ｌを中心に、互いに少なくとも約０．２５πラジアン内であるということを意味する。一実施形態では、縁９０は先端部９４において堰１６０を有してもよく、先端部９４及び第２表面凹凸部１５５は、互いに概ね位置合わせされてもよい。かかる実施形態では、概ね位置合わせされることによって、先端部９４及び第２表面凹凸部１５５は、長手方向軸Ｌを中心に、互いに少なくとも約０．２５πラジアン内であるということを意味する。かかる第２表面凹凸部１５５を有する実施形態では、第２表面凹凸部１５５の位置を先端部９４及び堰１６０（存在する場合）と調整することによって、消費者が洗剤組成物３００を注ぎ終わって汚れを前処理するとき、消費者はその手にキャップ１０を再配置する必要なく、第２表面凹凸部１５５を用いて汚れをこすり洗いするのに正確な位置に第２表面凹凸部１５５があり得る。注いだ後、消費者は第２表面凹凸部１５５が汚れた布地に近位に配置された状態で、キャップ１０を直立位置で保持する傾向がある。
【０１２６】
注ぎ棚部２１０が、それを通じて縁９０から延びる開口部２２０を有し、縁９０が基部の外部４０に対する先端部９４を有し、開口部２２０が先端部９４と概ね位置合わせされる例示の実施例が図１３に示される。上記に開示されるように、注ぎ棚部２１０は、例えば容器壁部６０又は縁９０から延びてもよい。更に、上記に開示されるように、開口部２２０は、注ぎ棚部２１０と基部２０との間で基部壁部６０にあってもよく、開口部２２０は基部２０よりも注ぎ棚部２１０に近い。これらの実施形態では、概ね位置合わせされることによって、開口部２２０及び先端部９４は、長手方向軸Ｌを中心に、互いに少なくとも約０．２５πラジアン内であるということを意味する。これらの形状の様々な組み合わせは所望の利点を提供することができ、並びにキャップ１０として記載されてもよく、注ぎ棚部２１０はそれを通じて基部壁部６０又は縁９０から延びる開口部２２０を有し、縁９０は基部の外部４０に対する先端部９４を有し、開口部２２０は先端部９４と概ね位置合わせされる、又は他の実施形態では、注ぎ棚部２１０は容器壁部６０又は縁９０から延び、開口部２２０は、容器壁部６０において注ぎ棚部２１０と基部２０との間にあり、開口部２２０は基部２０よりも注ぎ棚部２１０に近い。
【０１２７】
本明細書に開示の形状の様々な組み合わせを有するキャップ１０は、効果的な汚れ前処理デバイスを提供することができる。キャップ１０は、任意の位置又は上記の位置の組み合わせにおいて第１表面凹凸部１５０を備えてもよい。キャップ１０は、任意の位置又は上記の位置の組み合わせにおいて第２表面凹凸部１５５を備えてもよい。キャップ１０は、第１表面凹凸部１５０及び第２表面凹凸部１５５を備えていてもよく、これらのそれぞれは、上記の第２表面凹凸部１５５の位置の任意の位置又はこれらの位置の組み合わせに配置される。様々な実施形態は、より正確な注ぎを提供するために、上記のとおり注ぎ口（pouring spout）９２を備えていてもよい。注ぎ口９２は、円筒部であってもよい。本明細書において検討される実施形態のそれぞれは、上記のとおり、それを通じる開口部２２０を有する注ぎ棚部２１０を備えていてもよい。本明細書で検討される実施形態のそれぞれはコレクタ２５０を備えていてもよい。本明細書で検討される実施形態は、正確な注ぎを提供するために、縁９０において堰１６０が提供されてもよい。キャップ１０の形状は、上記の実施形態に関して記載されているように互いに対して配置されてもよい。
【０１２８】
キャップ１０は、汚れた部分を有する布地物品を前処理する方法において使用されてもよい。本方法は、洗剤を含む容器からキャップ１０を外すことと、容器１１０からキャップ１０内へ洗剤組成物３００の所定の容量を注ぐこと、すなわち分与することと、洗剤組成物３００の量の少なくとも一部分を、汚れた布地物品の汚れた部分に塗布することと、汚れた部分をキャップ１０の一部分でこすり洗いすることと、キャップ１０を、洗剤組成物３００を含む容器１１０と再係合することとを含むことができる。キャップ１０の一部分を用いて汚れた部分こすり洗いするステップは、キャップ１０の縁９０、縁９０と容器１３０との間のキャップ１０の一部分、外面８０、キャップ１０の基部の外部４０、及びこれらの組み合わせからなる群から選択されるキャップ１０の一部分を用いて実施され得る。本方法で使用されるキャップ１０は、様々な実施形態、及び本明細書で検討されるキャップ１０の実施形態の組み合わせのいずれかであってもよい。キャップ１０は、キャップ１０をねじって開け、容器１１０上に配置されたねじ山１３４を、キャップ１０上に配置された対応するねじ山１３４から外すことによって容器１１０から外されてもよい。キャップ１０は、キャップ１０をねじで締めて、容器１１０上に配置されるねじ山１３４を用いて、キャップ１０上でねじ山１３４を係合することによって、容器１１０と再係合され得る。キャップ１０は注ぎ口９２を有し得る。注ぎ口９２は、円筒部であってもよい。キャップ１０内に注がれる洗剤組成物３００の量は洗剤組成物３００の単位容量であってもよい。本方法は、洗濯機のドラム内にキャップ１０を配置する工程を含んでもよい。かかるアプローチでは、汚れの前処理の後にキャップ１０に残っている洗剤組成物３００は洗濯に送達され得る。
【０１２９】
第１材料及び第２材料の色は、色Ｌ＊、ａ＊、及びｂ＊の値について反射分光光度計により測定される。
【０１３０】
色差は、Ｌ＊値、ａ＊値、及びｂ＊値を用いて、ΔＥ＝［（Ｌ＊Ｘ．−Ｌ＊Ｙ）２＋（ａ＊Ｘ．−ａ＊Ｙ）２＋（ｂ＊Ｘ−ｂ＊Ｙ）２］１／２によって算出することができる。ここで、方程式における「Ｘ」は第１材料を表し、「Ｙ」は第２材料を表し、Ｘ及びＹは同時に測定される同じ２つの点ではない。いずれの特定の式差比較についても、Ｘの位置≠Ｙの位置である。
【０１３１】
Ｈｕｎｔｅｒ  Ａｓｓｏｃｉａｔｅｓ  Ｌａｂｏｒａｔｏｒｙ（Ｒｅｓｔｏｎ，Ｖａ．）より入手したＨｕｎｔｅｒ  Ｌａｂ  ＬａｂＳｃａｎ  ＸＥ反射分光光度計を使用して、反射色を測定する。キャップ１０は、１８℃（６５°Ｆ）〜２４℃（７５°Ｆ）の周囲温度、及び５０％〜８０％の相対湿度において試験する。
【０１３２】
分光光度計をＣＩＥＬａｂ色スケールに設定し、Ｄ６５照明を用いる。観察者（Observer）を１０°に設定し、モード（Mode）を４５／０°に設定する。エリアビューを０．３１８ｃｍ（０．１２５インチ）に設定し、ポートサイズを０．５１ｃｍ（０．２０インチ）に設定する。分光光度計を較正してから、供給業者から機器とともに供給される黒のガラス及び白の参照用タイルを用いてサンプルを分析する。較正をＬａｂＳｃａｎ  ＸＥユーザーズマニュアル、マニュアルバージョン１．１（２００１年８月、Ａ６０−１０１０−８６２）に記載されているように製造業者の取扱説明書に従って実施する。参照用タイル又はサンプルのクリーニングが必要な場合、エンボス加工、ローション、又は光沢剤を含まないティッシュ（例えば、ＰＵＦＦＳティッシュ）のみを使用する。分析対象となる色を含むキャップ上の任意のサンプル点を選択できる。
【０１３３】
キャップ１０は、そのキャップ１０の背後に配置された白いクランプディスクを配置した状態で、分光光度計のサンプルポートの上に置く。
【０１３４】
キャップ１０を取り外し、再配置して、少なくとも６回、キャップ１０の色を測定する。可能な場合（例えば、対象となる要素上の付与された色のサイズが、６個の別個の異なる互いに重なり合わない試料点を得ることを制限しない場合）、どの２個の試料点も重なり合うことがないように、各読み取りを外側に見える表面上の実質的に異なる領域で実施する。第１材料及び第２材料を含んでなるキャップの部分のサイズは、サンプル点の重なり合いを必要とする場合、どの２つのサンプル点間の重なり合いも最小限に抑えるように選択されたサンプル点をもつ、６つのサンプルだけを取得すべきである。測定値を平均して、外側に見える要素の表面上の指定された色について記録されたＬ＊、ａ＊、及びｂ＊値を得る。
【０１３５】
第１材料及び第２材料は、ΔＥが約１より大きい場合、異なる色を有すると考えられる。
【０１３６】
キャップ１０が基部の外部４０上に表面凸凹部の２つの領域を備えてなる実施形態が図１４に示される。基部の外部４０は、その上部に配置される第１領域４００及び第２領域４１０を有してよい。第２領域４１０は第１領域４００に隣接してよい。第１領域４００は複数の第１表面凸凹部１５０を備えてもよく、第２領域４１０は複数の第２表面凸凹部１５５を備えてもよい。表面の各領域は異なる利点を不規則にもたらすことができる。例えば、第１表面凸凹部１５０は、布地又は衣類上の汚れのこすり洗いに使用できるこすり洗い具を提供できる。第２表面凸凹部１５５は、洗剤組成物３００をかかる汚れの上に塗り広げることができる塗り広げ具を提供できる、又は第１表面凸凹部１５０で汚れをこすり洗いすると生じ得る洗剤組成物３００の境界層を破壊する粗面を提供できる。
【０１３７】
基部の外部４０上又は基部の外部４０に近接する容器壁部６０上に第１表面凸凹部１５０のみを有するキャップ１０では、一部の消費者は、第１表面凸凹部１５０及び基部の外部４０の残り部分が汚れに面するようにして、汚れに面する基部の外部４０での汚れのこすり洗いを選択することにより、本明細書に開示されるようにキャップ１０を使用し得る可能性がある。つまり、注ぎ容積１００を洗剤組成物３００の単位容量で充填するとき、キャップ１０は、消費者がキャップ１０を置く位置と本質的に同一の場所に配置され得る。第１表面凸凹部１５０を備えない基部の外部４０の部分が概ね平坦である場合、レジャーでプールの滑り台を滑り降りるとき、又は滑らかな濡れた床を滑るときに水の薄層上を人が滑らかに動くのによく似て、その基部の外部４０の部分は洗剤組成物３００上を滑らかに動くことができる。このような結果は、処理される布地とキャップ１０との間に境界層を形成する洗剤３００の薄層が、第１表面凸凹部１５０と処理される布地との間を分離する、又は接触を低下させる（直接的接触がない）のに十分な粘度がある場合、望ましくないことがある。高粘度を有する最近の液体洗剤処方などの粘度が高く高密度の液体は、こすり洗い中に生じ得るように激しくせん断すると、境界層をかなり形成する。そのような液体の力が生じる場合、第１表面凸凹部１５０は処理される汚れに接触できず、キャップ１０は汚れた布地周囲を滑る場合があり、汚れた布地は摩擦抵抗を示すことができない。キャップ１０が、第１表面凸凹部１５０のみ、若しくはほぼ第１表面凸凹部１５０のみが処理される汚れに接触するように僅かに傾けられている場合、又はキャップ１０が滑ることのできる液体の境界層が生じないようにキャップ１０が傾いている場合に、ユーザーはこの懸念を緩和することができる。
【０１３８】
第１表面凸凹部１５０の形状は第２表面凸凹部１５５と異なっていてよい。この形状は、１つの形状がこすり洗いを提供し、もう片方が洗剤組成物３００の境界層発生を妨害するという点で、異なる利点をもたらすように異なっていてもよい。キャップの基部の外部４０に異なる領域が存在して異なる機能をもたらすことができ、汚れのこすり洗いに適切な領域を選択できることを消費者に認識させるのに、このような形状の違いを役立てることもできる。
【０１３９】
第１表面凸凹部１５０の形状は、高さ、直径、アスペクト比、様々な表面の曲率が挙げられるが、これらに限定されない特徴により、第２表面凸凹部１５５と異なっていてよい。例えば、第１表面凸凹部１５０は概ね円柱状形であってよく、第２表面凸凹部は不規則で粗い質感であってよい。
【０１４０】
複数の第１表面凸凹部１５０の先端部４２０は、複数の第２表面凸凹部１５５の先端部４２０と同一面内にあってよい。洗剤組成物３００が注ぎ容積１００内に注がれることができるように、表面上に安定して設置できるキャップ１０を提供するのに、かかる構成は実用的であり得る。洗剤組成物３００を充填すると、注ぎ容積１００は液面を有することができ、ここで複数の第１表面凸凹部１５０の先端部４２０と、複数の第２表面凸凹部１５５の先端部は液面に対して平行、又は実質的に平行である。注ぎ容積１００内に注がれるとき、液面は洗剤組成物３００の自由表面である。
【０１４１】
高密度液体洗剤組成物３００では、注ぎ容積１００は、約１０ｍＬ〜約２００ｍＬの注ぎ容積１００をもたらすような大きさかつ寸法であってもよい。高密度液体洗剤組成物３００のコンパクトさに応じて、注ぎ容積１００は、約３０ｍＬ〜約１００ｍＬの注ぎ容積１００をもたらすような大きさかつ寸法であってもよい。高密度液体洗剤組成物３００のコンパクトさに応じて、注ぎ容積１００は、約４５ｍＬ〜約７７ｍＬの注ぎ容積１００をもたらすような大きさかつ寸法であってもよい。容器壁部６０は、約２２５ｍｍである長手方向軸Ｌを中心とした放射状の外周を画定できる。容器壁部６０は、約６７ｍｍの高さを有してよい。
【０１４２】
第１表面凸凹部１５０は熱可塑性エラストマーを含んでもよい。第２表面凸凹部１５５は熱可塑性エラストマーを含んでもよい。第１表面凸凹部１５０及び第２表面凸凹部１５５は熱可塑性エラストマーを含んでもよい。処理される布地をこするとき、熱硬化性材料とは対照的に熱可塑性エラストマーは布地に優しい場合があるため、熱可塑性エラストマーを第１表面凸凹部１５０及び／又は第２表面凸凹部１５５に用いることは有利であり得る。熱可塑性エラストマーは、第１表面凸凹部、第２表面凸凹部、及びこれらの組み合わせからなる群から選択される表面凸凹部を形成してよい。
【０１４３】
第１表面凸凹部１５０、第２表面凸凹部１５５、並びに第１表面凸凹部１５０及び第２表面凸凹部１５５の両方が、アクリロニトリルブタジエンスチレンであってよい。容器壁部６０及び／又は基部２０は、本明細書に記載される実施形態において熱硬化性材料からなってよい。容器壁部６０及び／又は基部２０は、アクリロニトリルブタジエンスチレンからなってよい。容器壁部６０及び／又は基部２０は、ポリプロピレンからなってよい。容器壁部６０及び／又は基部２０は、Ｔｈｅ  Ｐｒｏｃｔｅｒ  ＆  Ｇａｍｂｌｅ  Ｃｏ．（Ｃｉｎｃｉｎｎａｔｉ，ＯＨ）製造の液体洗剤ＴＩＤＥのパッケージのキャップに使用されている材料からなってよい。容器壁部及び／又は基部２０は、Ｆｌｉｎｔ  Ｈｉｌｌｓ  Ｒｅｓｏｕｒｃｅｓ，ＬＰ（Ｗｉｃｈｉｔａ，Ｋａｎｓａｓ，Ｕ．Ｓ．Ａ．）から入手できるＦｌｉｎｔｈｉｌｌｓ  ＡＰ５５２０ＨＡからなってよい。
【０１４４】
容器壁部６０及び／又は基部２０がポリプロピレンであり、熱可塑性エラストマーが第１表面凸凹部１５０及び／又は第２表面凸凹部１５５のいずれか又は両方に用いられる場合、熱可塑性エラストマーはポリプロピレンに適合し得る種類になるように選択できる。熱可塑性エラストマーが使用される一実施形態では、第１表面凸凹部１５０、第２表面凸凹部、及びこれらの組み合わせからなる群から選択される表面凸凹部に使用される熱可塑性エラストマーは、ＧＬＳ  Ｔｈｅｒｍｏｐｌａｓｔｉｃ  Ｅｌａｓｔｏｍｅｒｓ（ＭｃＨｅｎｒｙ，Ｉｌｌｉｎｏｉｓ，Ｕ．Ｓ．Ａ．）から入手できるＶＥＲＳＡＦＬＥＸ  ９５００であってよい。
【０１４５】
キャップ１０の異なる部分に異なる利点をもたらすため、及び／又はキャップ１０の製造コストを最適化するために、第１表面凸凹部１５０及び容器壁部６０が互いに異なる化学組成の材料を含んでなるキャップ１０を有することが実用的であり得る。同様に、キャップ１０の異なる部分に異なる利点をもたらすため、及び／又はキャップ１０の製造コストを最適化するために、第１表面凸凹部１５０及び第２表面凸凹部１５５が互いに異なる化学組成の材料を含んでなることが実用的であり得る。例えば、第１表面凸凹部１５５は柔軟なこすり洗い面を提供する熱可塑性エラストマーであってよく、第２表面凸凹部１５５は、洗剤組成物３００の境界層を破壊するためのでこぼこした剛性の形状特性を提供し、耐久性のある熱硬化性材料であってよい。
【０１４６】
容器壁部６０は、第１表面凸凹部１５０を超えるショアＡ硬度を有する材料を含んでなり、消費者がキャップ１０を把持して容器１１０からキャップ１０を外す際に硬く、消費者製品の製造中に容器１１０への取り付けに耐えるのに十分に硬く、かつ、搬送及び保管に耐えるのに十分に硬い剛性容器壁部を提供できる。
【０１４７】
図１４に示すように、基部の外部４０は非平面であってよい。複数の第１表面凸凹部１５０の先端部が複数の第２表面凸凹部１５５の先端部と同一面内にあり、基部の外部４０が平面である場合、第１表面凸凹部１５０及び／又は第２表面凸凹部１５５の高さを多様にすることが困難な場合がある。第１表面凸凹部１５０及び／又は第２表面凸凹部１５５の高さＨを多様にすることは、多様な高さＨにより、キャップ１０のどの部分が汚れの前処理に最も効果的であり得るのかについて、消費者に対して視覚的合図を提供できるため、望ましい場合がある。例えば、図１４に示すように、第１表面凸凹部１５５は、基部２０が容器壁部６０と連結される位置に近接する高さＨで最も高い。第１表面凸凹部１５０が高いと、低い第１表面凸凹部よりも効果的であると消費者が認識する場合があるため、基部２０が容器壁部６０と連結される位置に近接する第１領域４００の縁部に最も効果的なこすり洗い面が位置するようにキャップ１０をデザインでき、そのように使用されるキャップ１０が人間工学的使用を提供できると、消費者が理解する場合がある。第１表面凸凹部１５０は高さＨが変化してよい。第２表面凸凹部１５５は高さＨが変化してよい。第１表面凸凹部１５０及び第２表面凸凹部１５５は高さＨが変化してよい。第１表面凸凹部１５０は毛１５６であってよい。第１表面凸凹部１５０は高さが変化する毛１５６であってよく、毛の高さは長手方向軸Ｌからの距離に応じて高くなる。したがって、周辺部５０に近接する毛は周辺部５０から離れた毛１５６よりも高い。かかる実施形態では、第１表面凸凹部の先端部４２０が互いに同一面内に存在できるように、基部の外部４０は非平面（起伏のある）であってよい。先端部４２０からの距離に応じて同一の断面積を有する毛１５６では、荷重下における各毛１５６の変形度合いは、高さに応じて大きくなる。したがって、毛１５６が長いと、短い毛１５６よりも可撓性があり、布地に優しいと消費者に認識され得る。第１表面凸凹部、第２表面凸凹部、及びこれらの組み合わせからなる群から選択される表面凸凹部は高さが変化してよい。
【０１４８】
基部の外部４０は基部の外部の表面積４１を有し、これは基部の外部４０の表面の面積である。汚れの前処理に効果的な十分に大きい第１領域４００を有するキャップ１０を提供するために、第１領域４００は約１０％〜約９０％の基部の外部の表面積４１を備えることができる。基部の外部４０と前処理される布地との間の洗剤組成物３００の境界層形成を破壊するのに効果的な十分に大きい第２領域４１０を有するキャップ１０を提供するために、第２領域４１０は、約１０％〜約９０％の基部の外部の表面積４１を備えることができる。第２領域４１０は５０％超の基部の外部の表面積４１を備えることができる。
【０１４９】
第１領域４００は５０％未満の基部の外部の表面積４１を備えることができる。かかる構成を有することにより、第１領域４００がキャップの基部２０の残り部分と視覚的に対比されるため、基部の外部４０のその他領域又は部分と比較して、第１領域４００が特有の特性及び／又はキャップ性能をいくらか有することが消費者によってよりよく認識され得るであろう。人間工学的使用を提供するために、第１領域４００は注ぎ口９２の形状を有する縁９０の一部と概ね位置合わせしてよい。消費者が少量の洗剤組成物３００を注ぎ口９２から汚れの上に注ぐと、こすり洗いによる汚れの前処理に使用できる第１領域４００は、消費者にキャップ１０を回転させることなく、又は手首の位置を変えさせることなく、既に消費者が使用する適切な位置にある。
【０１５０】
第１領域４００は約１０％〜約４０％の基部の外部の表面積４１を備えることができる。第２領域は約６０％〜約９０％の基部の外部の表面積４１を備えることができる。
【０１５１】
新たな製品形態を消費者に売り出す際の課題の１つは、消費者が新たな習慣、特に製品による消費者満足を高めることができる習慣を身につけるのをサポートすることである。消費者が、本明細書に開示されるようなキャップ１０の機能性及びキャップ１０の使用法を理解するのをサポートするため、キャップ上に文書形態又は図形形態で示されるキャップ１０の使用説明４３０を提供することが実用的であり得る。使用説明４３０は、容器１１０を開封し、製品を使用し始めるときに、消費者に使用説明が見えるように、有利には基部２０上に取り付けてよい。文書形態の使用説明は「Ｘでの前処理」であってよく、このときＸは容器１１０に含まれる洗剤組成物３００のブランド名である。キャップ１０の機能性を消費者に伝えるだけに必要な使用説明などの、その他使用説明も想到される。図形形態の使用説明は、所望の方法でキャップ１０を把持している人の手、及び動作を示す矢印やその他しるしといった、キャップ１０の使用方法についての図の表示であってよい。
【０１５２】
図１４に示すキャップ１０のプロファイル図を、キャップ１０の一部を切り取って図１５に示す。図１５に示されるように、キャップ１０を平らに置けるように、第１表面凸凹部１５０の複数の先端部４２０は複数の第２表面凸凹部１５５の先端部４２０と同一面内にある。更に図１５に示されるのは、洗剤組成物３００が注ぎ容積１００内に注がれた後の洗剤組成物３００の液面４４０である。
【０１５３】
ＩＩＩ．方法
疎水性指数
混合界面活性剤系の「疎水性指数」つまり「ＨＩ」は以下のように算出できる。
【０１５４】
（１）ＨＩＣ＝Σｙ（界面活性剤系中の界面活性剤ｙの重量％）×（界面活性剤ｙのＨＩＳ）
ＨＩＳは、混合物中の個々の界面活性剤についてそれぞれ以下のように算出する。
【０１５５】
（２）ＨＩＳ＝２０×（先端基の分子量）／（界面活性剤の分子量）
イオン性界面活性剤の場合、式（２）中のＨＩＳは界面活性剤イオンについて算出し、式（１）中の重量パーセントは対応する界面活性剤イオンについてである。
【０１５６】
汚れ除去指数の測定
汚れ除去指数（「ＳＲＩ」）は、「Ｓｔａｎｄａｒｄ  Ｇｕｉｄｅ  ｆｏｒ  Ｅｖａｌｕａｔｉｎｇ  Ｓｔａｉｎ  Ｒｅｍｏｖａｌ  Ｐｅｒｆｏｒｍａｎｃｅ  ｉｎ  Ｈｏｍｅ  Ｌａｕｎｄｅｒｉｎｇ」（ＡＳＴＭ  Ｄ４２６５−９８）の変法を用いて測定する。変更点は以下のとおりである。外部検証として少なくとも４回繰り返し、内部検証として少なくとも２回繰り返して試験する。平面上に布地を置き、液体についてはピペットを、固体についてはブラシを用いて、各回所定量の汚れを塗布することにより、汚れを付ける。変性人工皮脂及びエアフィルター汚れについては試験しない。試験する汚れは、ＥＭＣ、Ｅｍｐｉｒｉｃａｌ  Ｍａｎｕｆａｃｔｕｒｉｎｇ  Ｃｏｍｐａｎｙによって供給される。
【０１５７】
前処理手順
本明細書で使用する前処理（ＰＴ）手順に従って、汚れを平らな表面上に広げ、マノスタットシリンジ（又は類似の用具）を用いて、各汚れを１ｍＬの洗剤組成物で覆う。前処理キャップの利点を用いない前処理実施を模倣するため、汚れ全体を覆うように洗剤組成物を軽く広げ、５分間放置してから、前処理した汚れた布地を洗浄サイクルに導入する。前処理キャップの利点を用いた前処理実施を模倣するため、本発明の前処理キャップを用い５回同一方向に動かして洗剤組成物を汚れに塗り込み、５分間放置してから、前処理した汚れた布地を洗浄サイクルに導入する。
【実施例】
【０１５８】
代表的な液体洗剤組成物：液体洗剤組成物は、列挙された成分を記載の比率で混合することにより調製することができる。
【表２】
2013536128.tif 000011
【表３】
2013536128.tif 000012
１  Ｇｅｎｅｎｃｏｒ  Ｉｎｔｅｒｎａｔｉｏｎａｌ（Ｓｏｕｔｈ  Ｓａｎ  Ｆｒａｎｃｉｓｃｏ，ＣＡ）から入手可能。
２  Ｎｏｖｏｚｙｍｅｓ（Ｄｅｎｍａｒｋ）より入手可能。
３  −ＮＨ当たり２０個のエトキシレート基を有する、分子量６００ｇ／ｍｏｌのポリエチレンイミンコア。ＢＡＳＦ（Ｌｕｄｗｉｇｓｈａｆｅｎ，Ｇｅｒｍａｎｙ）より入手可能
４  国際公開第０１／０５８７４号に記載され、ＢＡＳＦ（Ｌｕｄｗｉｇｓｈａｆｅｎ，Ｇｅｒｍａｎｙ）より入手可能。
−ＮＨ当たり２４個のエトキシレート基と−ＮＨ当たり１６個のプロポキシレート基とを有する、分子量６００ｇ／ｍｏｌのポリエチレンイミンコア。ＢＡＳＦ（Ｌｕｄｗｉｇｓｈａｆｅｎ，Ｇｅｒｍａｎｙ）より入手可能
６  ＰＥＧ−ＰＶＡグラフトコポリマーは、ポリエチレンオキシド主鎖と複数のポリビニルアセテート側鎖とを有する、ポリ酢酸ビニルグラフト化ポリエチレンオキシドコポリマーである。ポリエチレンオキシド主鎖の分子量は約６０００であり、ポリ酢酸ビニルに対するポリエチレンオキシドの重量比は約４０：６０であり、エチレンオキシド単位５０個当たりグラフト点は１個以下である。ＢＡＳＦ（Ｌｕｄｗｉｇｓｈａｆｅｎ，Ｇｅｒｍａｎｙ）より入手可能
７  商標名ＴｈｉｘｉｎＲとしてＥｌｅｍｅｎｔｉｓ  Ｓｐｅｃｉａｌｔｉｅｓ（Ｈｉｇｈｓｔｏｗｎ，ＮＪ）から入手可能。
【０１５９】
Ｖ．データ−
油汚れ、草の汚れ、及び飲料の汚れに対する比較製品（組成物＋キャップ）（親水性界面活性剤系を含有し、１０超の疎水性指数を有する）の汚れ除去性能、並びに全般汚れ除去性能に対する、油汚れ、草の汚れ、及び飲料染の汚れに対する本発明（組成物＋キャップ）の汚れ除去性能、並びに全般の汚れ除去性能を証明するため、一連の試験を実施する。
【０１６０】
表Ｉでは、疎水性指数が１０．５である比較洗剤組成物の油脂性汚れの除去と比較した、疎水性指数が７．８及び７．９である本発明の洗剤組成物の油脂性汚れの除去を説明する比較データの概要を提供する。
【表４】
2013536128.tif 000013
【０１６１】
表Ｉのデータは、本発明による洗剤組成物、それぞれＨＩが７．８及び７．９である上記Ａ及びＢが、それぞれ８７．７８及び８６．５７の油平均ＳＲＩを有する一方で、ＨＩが１０．５である比較組成物Ｃはわずか７９．９２の油平均ＳＲＩを有し、その差がそれぞれ７．８６及び６．６６  ＳＲＩ単位であることを示す。
【０１６２】
表ＩＩでは、本発明のキャップを用いずに得られる粒子状汚れの除去と比較した、本発明のキャップにより得られる粒子状汚れ除去を説明する比較データの概要を提供する。
【表５】
2013536128.tif 000014
【０１６３】
表ＩＩのデータは、本発明のキャップが、処方Ａ及びＢのそれぞれについて、１９．１６単位及び２０．９６単位の粒子平均ＳＲＩの上昇をもたらすことを示す。
【０１６４】
本明細書に開示した寸法及び値は、記述された正確な数値に厳しく限定されるものと理解すべきでない。むしろ、特に言及しない限り、そのようなそれぞれの寸法は、記述された値と、その値の周辺の機能的に同等の範囲との両方を意味することを意図する。例えば、「４０ｍｍ」として開示された寸法は、「約４０ｍｍ」を意味することを意図する。
【０１６５】
相互参照されるか又は関連する全ての特許又は特許出願を含む、本願に引用される全ての文書を、特に除外すること又は限定することを明言しない限りにおいて、その全容にわたって本願に援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１６６】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
2013536128.tif 000015
【図２】
2013536128.tif 000016
【図３】
2013536128.tif 000017
【図４】
2013536128.tif 000018
【図５】
2013536128.tif 000019
【図６】
2013536128.tif 000020
【図７】
2013536128.tif 000021
【図８】
2013536128.tif 000022
【図９】
2013536128.tif 000023
【図１０】
2013536128.tif 000024
【図１１】
2013536128.tif 000025
【図１２】
2013536128.tif 000026
【図１３】
2013536128.tif 000027
【図１４】
2013536128.tif 000028
【図１５】
2013536128.tif 000029
【国際調査報告】
2013536128.tif 000030
2013536128.tif 000031
2013536128.tif 000032